(57)【要約】【課題】記録された物理量の信頼性が容易に確保されかつ物理量の詳細な解析を容易に行うことが可能な記録計を提供することである。【解決手段】収集ユニット４００においては、外部からの入力信号に基づいて物理量を示す物理量データが生成される。生成された物理量データは本体部２００の内部メモリ２４０に記憶される。内部メモリ２４０には、物理量データとともに物理量データに関連する付随情報も記憶される。内部メモリ２４０に記憶された物理量データおよび付随情報に基づいて、物理量の変化を示す波形および付随情報が扉部１００に設けられた表示部１１０に表示される。本体部２００においては、生成された物理量データに基づいてチャート紙に物理量の変化を示す波形が印字装置２００Ｂにより印字される。また、内部メモリ２４０に記憶された付随情報が物理量の変化を示す波形とともにチャート紙に印字される。【選択図】図１
2014163699.tif 000002
【特許請求の範囲】
【請求項１】
ロール状または折り畳まれた状態の長尺状の記録紙を収容し、収容された長尺状の記録紙に物理量の変化を示す波形を記録するための記録計であって、
外部からの入力信号に基づいて物理量を示す物理量データを生成するデータ生成部と、
前記データ生成部により生成された物理量データに基づいて記録紙に所定期間前から現在までの物理量の変化を示す波形を印字する印字装置と、
前記データ生成部により生成された物理量データを記憶する記憶部と、
前記記憶部に記憶された物理量データに基づいて所定期間前から現在までの物理量の変化を示す波形を表示する表示装置と、
前記印字装置および前記表示装置を制御する制御部とを備え、
前記制御部は、前記データ生成部により生成された物理量データに関連する付随情報を前記物理量データとともに前記記憶部に記憶し、前記記憶部に記憶された付随情報を表示するように前記表示装置を制御し、前記記憶部に記憶された付随情報を物理量の変化を示す波形とともに記録紙に印字するように前記印字装置を制御する、記録計。
【請求項２】
前記付随情報は、使用者による前記印字装置に対する操作を示す操作情報を含む、請求項１記載の記録計。
【請求項３】
使用者により操作され、前記印字装置による記録紙への物理量の波形の印字動作を指令するための印字動作指令部をさらに備え、
前記操作情報は、前記印字動作指令部により波形の印字開始が指令された時点および前記印字動作指令部により波形の印字停止が指令された時点のうち少なくとも一方の時点を示す印字時点情報を含む、請求項２記載の記録計。
【請求項４】
前面が開口した筐体と、
前記筐体の開口を閉塞および開放するように前記筐体に取り付けられる扉とをさらに備え、
前記印字装置は、前記扉の開放時に前記筐体の前記開口を通して使用者による操作が可能となるように前記筐体内に設けられ、
前記操作情報は、使用者により前記扉が開閉されたことを示す開閉情報を含む、請求項２または３記載の記録計。
【請求項５】
前記付随情報は、所定の条件を満たす物理量データが前記データ生成部により生成されたことを示すアラーム情報を含む、請求項１〜４のいずれか一項に記載の記録計。
【請求項６】
前記付随情報は、使用者によるコメントを示すコメント情報を含む、請求項１〜５のいずれか一項に記載の記録計。
【請求項７】
前記印字装置は、
記録紙を収容する記録紙収容部と、
記録紙に物理量の変化を示す波形を印字する印字部と、
前記記録紙収容部に収容された記録紙を前記印字部に対して一方向に送るように構成された紙送り機構とを含み、
前記制御部は、前記紙送り機構による記録紙の送り量に基づいて前記記録紙収容部に収容された印字前の記録紙の残量を算出し、算出された記録紙の残量を表示するように前記表示装置を制御する、請求項１〜６のいずれか一項に記載の記録計。
【請求項８】
前記印字部は、インクカートリッジを用いた打点式の印字部であり、
前記制御部は、前記印字部によるドットの印字回数に基づいて前記印字部のインクカートリッジの残量を算出し、算出されたインクカートリッジの残量を表示するように前記表示装置を制御する、請求項７記載の記録計。
【請求項９】
外部記憶装置を接続および取り外し可能に構成される接続部をさらに備え、
前記制御部は、前記接続部に前記外部記憶装置が接続されると、前記記憶部に記憶された物理量データを接続された前記外部記憶装置へ出力する、請求項１〜８のいずれか一項に記載の記録計。
【発明の詳細な説明】
【技術分野】
【０００１】
本発明は、物理量の変化を示す波形を記録する記録計に関する。
【背景技術】
【０００２】
例えば金属製品の熱処理を行う場合に、時間の経過とともに変化する加熱炉内の温度を記録するために記録計が用いられる。また、時間の経過とともに変化する工場内での電圧降下を監視するために記録計が用いられる。このように、記録計を用いることにより、温度、電流、電圧または歪み等の物理量の変化を示す波形を記録することが可能である。
【先行技術文献】
【特許文献】
【０００３】
【特許文献１】特開平０５−１０７０８４号公報
【発明の概要】
【発明が解決しようとする課題】
【０００４】
特許文献１の記録計においては、物理量の変化が時間の経過とともに長尺状の記録紙に波形として印字される。以下、記録紙に波形を印字する記録計をチャート式記録計と呼ぶ。
【０００５】
物理量の測定中に、物理量の変化に影響を与える事象が発生した場合、使用者は発生した事象をコメントとして記録紙に書き込む。また、所定のしきい値を超える物理量が測定された場合に、使用者はしきい値を超える物理量が測定されたことを示すマークを記録紙に書き込む。
【０００６】
上記のように、物理量の変化を示す波形とともにコメントおよびマークが時系列で記録紙に記録されていると、使用者は、コメントおよびマークを参照しつつ物理量の変化をより詳細に解析することができる。しかしながら、チャート式記録計では、長期間にわたる物理量の記録により長い波形が１枚の記録紙に印字されていると、特定の部分の探索時に多大な労力および時間を要する。
【０００７】
一方、ペーパーレス記録計においては、物理量の変化を示す波形が記録紙に印字される代わりに、物理量を示すデータがメモリに記憶され、記憶されたデータに基づく波形が表示装置の画面上に表示される。ペーパーレス記録計によれば、物理量を示すデータがメモリに記憶されるので、使用者は最大値または最小値等を示す特定の部分を容易に探索することができる。また、物理量の測定中または測定後に、メモリに記憶されたデータに基づく波形を表示装置の画面上に容易に表示させることができる。
【０００８】
電子データに対する改ざん防止策は複雑なものが多く、利用者にとっては改ざん防止性能を直感的に理解することが困難である。これに対して、記録紙に印字された波形を、修正されたことがわからないように改ざんすることは難しい。したがって、チャート式記録計の使用者は、たとえ記録紙に印字された波形が改ざんされても、その改ざんを記録紙を視認することにより比較的容易に判定することができる。
【０００９】
また、ペーパーレス記録計では、記録紙が用いられない。そのため、物理量の変化に影響を与える事象が発生した場合、使用者は、発生した事象をコメントとして記録紙に書き込むことができない。また、所定のしきい値を超える物理量が測定された場合に、使用者はしきい値を超える物理量が測定されたことを示すマークを記録紙に書き込むことができない。そのため、使用者は、物理量を示すデータとは別に、コメントおよびマークを時刻とともに紙に記録する。この場合、使用者は、物理量の解析時に、メモリに記憶されたデータと紙に記録されたコメントおよびマークとの対応関係を確認しなければならない。このような確認作業は使用者にとって面倒である。
【００１０】
本発明の目的は、記録された物理量の信頼性が容易に確保されかつ物理量の詳細な解析を容易に行うことが可能な記録計を提供することである。
【課題を解決するための手段】
【００１１】
（１）本発明に係る記録計は、ロール状または折り畳まれた状態の長尺状の記録紙を収容し、収容された長尺状の記録紙に物理量の変化を示す波形を記録するための記録計であって、外部からの入力信号に基づいて物理量を示す物理量データを生成するデータ生成部と、データ生成部により生成された物理量データに基づいて記録紙に所定期間前から現在までの物理量の変化を示す波形を印字する印字装置と、データ生成部により生成された物理量データを記憶する記憶部と、記憶部に記憶された物理量データに基づいて所定期間前から現在までの物理量の変化を示す波形を表示する表示装置と、印字装置および表示装置を制御する制御部とを備え、制御部は、データ生成部により生成された物理量データに関連する付随情報を物理量データとともに記憶部に記憶し、記憶部に記憶された付随情報を表示するように表示装置を制御し、記憶部に記憶された付随情報を物理量の変化を示す波形とともに記録紙に印字するように印字装置を制御するものである。
【００１２】
その記録計においては、物理量の測定中に、外部からの入力信号に基づいて物理量データが生成される。データ生成部により生成された物理量データが記憶部に記憶される。また、データ生成部により生成された物理量データに関連する付随情報が物理量データとともに記憶部に記憶される。
【００１３】
生成された物理量データに基づいて記録紙に所定期間前から現在までの物理量の変化を示す波形が印字される。また、記憶部に記憶された付随情報が物理量の変化を示す波形とともに記録紙に印字される。記録紙に印字された波形および付随情報を修正することは困難であるため、記録された物理量および付随情報の信頼性が容易に確保される。
【００１４】
物理量の測定中に、記憶部に記憶された物理量データに基づいて所定期間前から現在までの物理量の変化を示す波形が表示装置に表示される。表示装置には記録紙に印字される波形に対応する波形が表示されるため、使用者は測定される物理量の変化を表示装置により確認することができる。
【００１５】
記憶部に記憶された付随情報が表示装置に表示される。それにより、使用者は、付随情報を物理量の波形とともに表示装置により確認することができる。また、物理量データおよび付随情報が記憶部に記憶されるので、使用者は、記憶部に記憶された複数の物理量データおよび付随情報に基づいて物理量の変化を示す波形のうち特定の部分を容易かつ詳細に探索することができる。その結果、物理量の詳細な解析を容易に行うことが可能になる。
【００１６】
（２）付随情報は、使用者による印字装置に対する操作を示す操作情報を含んでもよい。
【００１７】
この場合、使用者による印字装置に対する操作が、操作情報として記録紙に印字され、表示装置に表示される。それにより、使用者は、操作情報を参照しつつ物理量の詳細な解析を行うことができる。
【００１８】
（３）記録計は、使用者により操作され、印字装置による記録紙への物理量の波形の印字動作を指令するための印字動作指令部をさらに備え、操作情報は、印字動作指令部により波形の印字開始が指令された時点および印字動作指令部により波形の印字停止が指令された時点のうち少なくとも一方の時点を示す印字時点情報を含んでもよい。
【００１９】
この場合、使用者が印字動作指令部を操作することにより、印字装置による記録紙への物理量の波形の印字動作が指令される。印字動作指令部により波形の印字開始が指令された時点および印字動作指令部により波形の印字停止が指令された時点のうち少なくとも一方の時点が、印字時点情報として記録紙に印字され、表示装置に表示される。それにより、使用者は、記憶部に記憶された物理量データの生成時点を容易に認識することができる。
【００２０】
（４）記録計は、前面が開口した筐体と、筐体の開口を閉塞および開放するように筐体に取り付けられる扉とをさらに備え、印字装置は、扉の開放時に筐体の開口を通して使用者による操作が可能となるように筐体内に設けられ、操作情報は、使用者により扉が開閉されたことを示す開閉情報を含んでもよい。
【００２１】
この場合、使用者は、扉を開放することにより筐体の開口を通して印字装置を操作することができる。使用者により扉が開閉されたことが、開閉情報として記録紙に印字され、表示装置により表示される。それにより、使用者は、開閉情報に基づいて、記憶部に記憶された物理量データの生成時に印字装置の操作が行われた可能性があるか否かを容易に判定することができる。
【００２２】
（５）付随情報は、所定の条件を満たす物理量データがデータ生成部により生成されたことを示すアラーム情報を含んでもよい。
【００２３】
この場合、所定の条件を満たす物理量データがデータ生成部により生成されたことが、アラーム情報として記録紙に印字され、表示装置により表示される。それにより、使用者は、アラーム情報に基づいて、物理量のより詳細な解析をより容易に行うことができる。
【００２４】
（６）付随情報は、使用者によるコメントを示すコメント情報を含んでもよい。
【００２５】
この場合、使用者によるコメントが、コメント情報として記録紙に印字され、表示装置により表示される。それにより、使用者は、コメント情報に基づいて、物理量のより詳細な解析をより容易に行うことができる。
【００２６】
（７）印字装置は、記録紙を収容する記録紙収容部と、記録紙に物理量の変化を示す波形を印字する印字部と、記録紙収容部に収容された記録紙を印字部に対して一方向に送るように構成された紙送り機構とを含み、制御部は、紙送り機構による記録紙の送り量に基づいて記録紙収容部に収容された印字前の記録紙の残量を算出し、算出された記録紙の残量を表示するように表示装置を制御してもよい。
【００２７】
この場合、印字装置においては、紙送り機構により一方向に送られる記録紙に物理量の変化を示す波形が印字される。
【００２８】
記録紙収容部に収容された印字前の記録紙の残量が算出され、算出された記録紙の残量が表示装置により表示される。それにより、使用者は、表示装置に表示される記録紙の残量を視認することにより、適切なタイミングで記録紙の交換作業を行うことができる。
【００２９】
（８）印字部は、インクカートリッジを用いた打点式の印字部であり、制御部は、印字部によるドットの印字回数に基づいて印字部のインクカートリッジの残量を算出し、算出されたインクカートリッジの残量を表示するように表示装置を制御してもよい。
【００３０】
この場合、インクカートリッジの残量が算出され、算出されたインクカートリッジの残量が表示装置により表示される。それにより、使用者は、表示装置に表示されるインクカートリッジの残量を視認することにより、適切なタイミングでインクカートリッジの交換作業を行うことができる。
【００３１】
（９）記録計は、外部記憶装置を接続および取り外し可能に構成される接続部をさらに備え、制御部は、接続部に外部記憶装置が接続されると、記憶部に記憶された物理量データを接続された外部記憶装置へ出力してもよい。
【００３２】
この場合、接続部に外部記憶装置が接続されることにより、記憶部に記憶された物理量データが外部記憶装置に出力される。それにより、使用者は、故障等により表示装置に画像が表示されない場合でも、外部記憶装置を用いることにより記憶部に記憶された物理量データを容易に取り出すことができる。
【発明の効果】
【００３３】
本発明によれば、記録された物理量の信頼性が容易に確保されるとともに物理量の詳細な解析を容易に行うことが可能になる。
【図面の簡単な説明】
【００３４】
【図１】本発明の一実施の形態に係る記録計のブロック図である。
【図２】図１の記録計の外観斜視図である。
【図３】扉部が開かれた状態を示す記録計の外観斜視図である。
【図４】印字装置に対するチャート紙の交換作業の手順を示す図である。
【図５】扉部の正面図である。
【図６】下部カバーが開かれた状態を示す扉部の外観斜視図である。
【図７】下部カバーが開かれた状態を示す扉部の正面図である。
【図８】扉部の背面図である。
【図９】扉部を本体部に取り付ける状態を示す組立て斜視図である。
【図１０】図１の記録計の背面図である。
【図１１】チャート紙の送り速度の設定時における図２の表示画面の一表示例を示す図である。
【図１２】図２の表示画面の一表示例を示す図である。
【図１３】図２の表示画面の他の表示例を示す図である。
【図１４】図１の記録計により物理量の変化を示す波形が印字されたチャート紙の一例を示す図である。
【図１５】物理量の波形の印字中のチャート紙に使用者がコメントを書き込む例を示す図である。
【図１６】物理量収集動作中に表示画面に使用者がコメントを書き込む例を示す図である。
【図１７】制御盤への記録計の取り付け例を示す図である。
【図１８】可搬型の記録計を示す外観斜視図である。
【図１９】検索条件の設定時における表示画面の表示例を示す図である。
【図２０】図１９の「最大値」が選択された場合の検索結果の表示例を示す図である。
【図２１】アラーム条件の設定時における表示画面の表示例を示す図である。
【図２２】アラーム条件の設定時における表示画面の表示例を示す図である。
【図２３】アラーム条件の設定時における表示画面の表示例を示す図である。
【図２４】アラーム条件の設定時における表示画面の表示例を示す図である。
【図２５】アラーム機能による警報発生時の表示画面の表示例を示す図である。
【図２６】アラーム機能による警報発生時のチャート紙の印字例を示す図である。
【図２７】登録コメントの設定時における表示画面の表示例を示す図である。
【図２８】表示画面に表示されるコメント選択画面の例を示す図である。
【図２９】コメント機能により物理量データとともに登録コメントが内部メモリに記憶される場合の表示画面の表示例を示す図である。
【図３０】コメント機能により物理量データとともに登録コメントが内部メモリに記憶される場合のチャート紙の印字例を示す図である。
【図３１】使用者名およびパスワードの設定時における表示画面の表示例を示す図である。
【図３２】使用者名およびパスワードの設定時における表示画面の表示例を示す図である。
【図３３】使用者名およびパスワードの設定時における表示画面の表示例を示す図である。
【図３４】使用者名およびパスワードの設定時における表示画面の表示例を示す図である。
【図３５】使用者名およびパスワードの設定時における表示画面の表示例を示す図である。
【図３６】セキュリティアプリケーションプログラムを実行することによりパーソナルコンピュータの表示部に表示されるウィンドウの例を示す図である。
【発明を実施するための形態】
【００３５】
［１］記録計の基本構成
図１は本発明の一実施の形態に係る記録計のブロック図である。図１に示すように、記録計１は、扉部１００、本体部２００、１または複数（本例では１つ）の入力／出力ユニット３００、および１または複数（本例では１つ）の収集ユニット４００を備える。
【００３６】
扉部１００は、表示部１１０、タッチパネル１２０、開閉検出部１３０、チャート紙調整スイッチ１４０、収集記録スイッチ１５０、記録状態表示ランプ１６０、電源スイッチ１７０およびＵＳＢ（ユニバーサルシリアルバス）インターフェース１８０を含む。
【００３７】
本体部２００は、制御装置２００Ａ、印字装置２００Ｂおよび複数の接続端子ＳＬａ，ＳＬｂを含む。制御装置２００Ａは、ＣＰＵ（中央演算処理装置）２１０、ＲＯＭ（リードオンリメモリ）２２０、ＲＡＭ（ランダムアクセスメモリ）２３０、内部メモリ２４０、ＦＰＧＡ（フィールドプログラマブルゲートアレイ）２８０、ＵＳＢインターフェース２９１、ＲＳ４８５インターフェース２９２、イーサネット（登録商標）インターフェース２９３、電源端子２９４、図示しない電源回路および図示しない音声出力部を含む。印字装置２００Ｂは、マイクロコンピュータＰＭ、印字部２５０、チャート紙送り部２６０および後述する図２のチャート紙収容部２７０を含む。
【００３８】
扉部１００、制御装置２００Ａおよび印字装置２００Ｂは、後述する図３のフレキシブル配線回路基板１９０および後述する図２のリジッド配線回路基板２００Ｃを介して互いに接続される。本体部２００の複数の接続端子ＳＬａ，ＳＬｂは図２のリジッド配線回路基板２００Ｃに設けられる。
【００３９】
入力／出力ユニット３００は、入力回路３１０、出力回路３２０、入出力端子部３３０および接続端子ＴＡａを含む。入力／出力ユニット３００の接続端子ＴＡａは、本体部２００の複数の接続端子ＳＬａに接続可能および取り外し可能に構成される。入力回路３１０の入力端子および出力回路３２０の出力端子は入出力端子部３３０に接続されている。また、入力回路３１０の出力端子および出力回路３２０の入力端子は接続端子ＴＡａに接続されている。
【００４０】
図１の例では、１つの入力／出力ユニット３００の接続端子ＴＡａが本体部２００の１つの接続端子ＳＬａに接続されている。この状態で、入出力端子部３３０が、配線（図示せず）を通して記録計１の外部機器（例えば、パーソナルコンピュータまたはプログラマブルコントローラ等）に接続される。
【００４１】
デジタル信号が、配線（図示せず）および入出力端子部３３０を通して外部機器から入力回路３１０に与えられる。この場合、入力回路３１０は、デジタル信号に所定の処理を施し、処理後の信号を接続端子ＴＡａを通して本体部２００に与える。また、出力回路３２０は、接続端子ＴＡａを通して本体部２００から与えられるデジタル信号に所定の処理を施し、処理後の信号を入出力端子部３３０を通して外部機器に与える。
【００４２】
収集ユニット４００は、マイクロコンピュータ４１０、入力回路４２０、Ａ／Ｄ（アナログデジタル）変換器４３０、入力端子部４４０および接続端子ＴＡｂを含む。収集ユニット４００の接続端子ＴＡｂは、本体部２００の複数の接続端子ＳＬｂに接続可能および取り外し可能に構成される。入力回路４２０の入力端子は入力端子部４４０に接続されている。また、入力回路４２０の出力端子はＡ／Ｄ変換器４３０を介してマイクロコンピュータ４１０に接続されている。さらに、マイクロコンピュータ４１０は接続端子ＴＡｂに接続されている。
【００４３】
図１の例では、１つの収集ユニット４００の接続端子ＴＡｂが本体部２００の１つの接続端子ＳＬｂに接続されている。この状態で、入力端子部４４０に配線（図示せず）が接続される。
【００４４】
物理量に対応するアナログ信号が、配線（図示せず）および入力端子部４４０を通して記録計１の外部から入力回路４２０に与えられる。入力回路４２０は、アナログ信号に所定の処理を施し、処理後の信号をＡ／Ｄ変換器４３０に与える。Ａ／Ｄ変換器４３０は、入力回路４２０から出力されるアナログ信号をデジタル信号に変換し、変換後のデジタル信号をマイクロコンピュータ４１０に与える。マイクロコンピュータ４１０は、与えられたデジタル信号を所定のサンプリング周期でサンプリングすることにより物理量の値を示す物理量データを生成し、生成された物理量データを接続端子ＴＡｂを通して本体部２００に与える。
【００４５】
本体部２００の制御装置２００Ａにおいて、ＲＯＭ２２０にはシステムプログラムが記憶される。ＲＡＭ２３０は、種々のデータの処理のために用いられる。内部メモリ２４０として、ＮＡＮＤ型フラッシュメモリ等の不揮発性メモリが用いられる。内部メモリ２４０は、主として物理量データを記憶するために用いられる。ＦＰＧＡ２８０は、ＣＰＵ２１０、ＲＯＭ２２０、ＲＡＭ２３０、内部メモリ２４０、ＵＳＢインターフェース２９１、ＲＳ４８５インターフェース２９２、イーサネットインターフェース２９３および電源端子２９４と、複数の接続端子ＳＬａ，ＳＬｂとの間を接続する。
【００４６】
使用者は、扉部１００のタッチパネル１２０または収集記録スイッチ１５０を操作することにより、ＣＰＵ２１０に物理量データの収集開始を指令することができる。この場合、ＣＰＵ２１０は、収集開始指令を受けると、収集ユニット４００から与えられる物理量データを順次内部メモリ２４０に記憶する。また、ＣＰＵ２１０は、収集開始指令を受けた時点を内部メモリ２４０に記憶した後、収集開始指令を受けた時点以降の物理量データの記憶動作をカウントする。
【００４７】
また、使用者は、扉部１００のタッチパネル１２０または収集記録スイッチ１５０を操作することにより、ＣＰＵ２１０に物理量データの収集停止を指令することができる。ＣＰＵ２１０は、収集停止指令を受けると、内部メモリ２４０への物理量データの記憶動作を停止する。また、ＣＰＵ２１０は、後述する波形ファイルを生成し、生成された波形ファイルを内部メモリ２４０に記憶する。
【００４８】
ＣＰＵ２１０が収集開始指令を受けてから収集停止指令を受けるまでの期間をデータ収集期間と呼ぶ。波形ファイルは、データ収集期間中に内部メモリ２４０に記憶される複数の物理量データ、ＣＰＵ２１０が収集開始指令を受けた時点、およびデータ収集期間における物理量データの記憶動作のカウント数を含む。
【００４９】
本実施の形態においては、上記のように物理量データを収集して波形ファイルを生成し、生成された波形ファイルを内部メモリ２４０に記憶する動作を物理量収集動作と呼ぶ。
【００５０】
物理量収集動作中、ＣＰＵ２１０は、内部メモリ２４０に記憶される物理量データに基づいて表示部１１０に物理量の変化を示す波形をリアルタイムに表示させる。
【００５１】
ここで、リアルタイムに表示するとは、物理量データが生成される時点とその物理量データにより示される波形の部分が表示部１１０に表示される時点とのずれが、所定期間内にあることをいう。この場合、所定期間は例えば物理量データのサンプリング周期であってもよいし、後述するドットの印字周期であってもよい。また、物理量データが生成された後、その物理量データが示す物理量を表示部１１０に表示されるまでの処理時間であってもよい。
【００５２】
使用者は、扉部１００のタッチパネル１２０または収集記録スイッチ１５０を操作することにより、チャート紙への物理量の変化を示す波形の記録開始およびその記録停止をＣＰＵ２１０に指令することができる。
【００５３】
ＣＰＵ２１０は、記録開始指令を受けると、内部メモリ２４０に記憶される物理量データに基づいて印字装置２００Ｂを制御する。具体的には、ＣＰＵ２１０は、物理量データのサンプリング周期よりも長い所定周期で、内部メモリ２４０に記憶される物理量データをチャート紙上における印字すべき位置（印字位置）に換算し、印字位置についての情報を含む制御信号を印字装置２００ＢのマイクロコンピュータＰＭに与える。
【００５４】
本体部２００の印字装置２００Ｂにおいて、印字部２５０は、例えばインクカートリッジ（本例では、インクリボンカートリッジ）に充填されたインクを用いてドットを印字する打点（ドットインパクト）方式のプリンタである。印字装置２００ＢのマイクロコンピュータＰＭは、制御装置２００ＡのＣＰＵ２１０から与えられる制御信号に基づいて印字部２５０を制御する。この場合、印字部２５０は、物理量に対応するチャート紙の位置にドットを印字する。また、印字部２５０は、ドットの印字（打点）を行うごとに、印字を行ったことを示すドット印字信号をマイクロコンピュータＰＭを通して制御装置２００ＡのＣＰＵ２１０に与える。
【００５５】
チャート紙送り部２６０は、後述する図３のプラテンローラＰＲ、図４のチャート紙送りカバー２６１、図４のモータ２６２および図４のギア２６３を含み、帯状のチャート紙の一部を保持可能に構成される。チャート紙の幅は例えば１８０ｍｍまたは１００ｍｍであり、チャート紙の長さは例えば１６ｍであるが、これらに限定されない。印字装置２００ＢのマイクロコンピュータＰＭは、制御装置２００ＡのＣＰＵ２１０から与えられる制御信号に基づいてチャート紙送り部２６０を制御する。この場合、チャート紙送り部２６０においては、プラテンローラＰＲが一方向に回転する。
【００５６】
それにより、チャート紙送り部２６０により保持されるチャート紙が印字部２５０に対して一方向に送られる。チャート紙送り部２６０は、チャート紙を一定量（例えば、０．１ｍｍ）一方向に送るごとにチャート紙送り信号をマイクロコンピュータＰＭを通して制御装置２００ＡのＣＰＵ２１０に与える。
【００５７】
チャート紙送り部２６０がチャート紙を送るとともに印字部２５０がチャート紙に所定周期でドットを印字する。それにより、チャート紙上には、予め定められた間隔で物理量を示すドットが長手方向に順次印字される。このようにして、物理量収集動作中に、チャート紙に物理量の変化を示す波形が印字される。その後、ＣＰＵ２１０は記録停止指令を受けると、波形の印字動作を停止する。本実施の形態においては、物理量収集動作中にチャート紙に物理量の変化を示す波形をリアルタイムに印字する動作をチャート紙記録動作と呼ぶ。
【００５８】
ここで、リアルタイムに印字するとは、物理量データが生成される時点とその物理量データにより示される波形の部分がチャート紙に印字される時点とのずれが、所定期間内にあることをいう。この場合、所定期間は例えば後述するドットの印字周期であってもよい。
【００５９】
扉部１００の表示部１１０は、例えば液晶ディスプレイパネルまたは有機ＥＬ（エレクトロルミネッセンス）パネルにより構成される。特に、表示部１１０は、可視光の透過率が約３０％以上の透過型の液晶ディスプレイパネルまたは透過型の有機ＥＬパネルにより構成されてもよい。タッチパネル１２０は、表示部１１０に重なるように設けられる。表示部１１０が透過型の液晶ディスプレイパネルまたは透過型の有機ＥＬパネルにより構成される場合には、タッチパネル１２０も透過型のパネルにより構成される。
【００６０】
開閉検出部１３０、チャート紙調整スイッチ１４０、収集記録スイッチ１５０、記録状態表示ランプ１６０、電源スイッチ１７０およびＵＳＢインターフェース１８０についての詳細は後述する。
【００６１】
［２］記録計の構造
図２は図１の記録計１の外観斜視図である。図２に示すように、本体部２００は、図１の制御装置２００Ａおよび印字装置２００Ｂに加えて、本体ケーシングＣＡおよびリジッド配線回路基板２００Ｃを含む。本体ケーシングＣＡは、上面部Ｓ１、底面部Ｓ２、一方の側面部Ｓ３、他方の側面部Ｓ４および背面部Ｓ５を有し、前面は開口している。上面部Ｓ１、底面部Ｓ２、一方の側面部Ｓ３および他方の側面部Ｓ４の前端部外表面にはフランジ２００ｆが形成されている。本体ケーシングＣＡは、制御装置２００Ａ、印字装置２００Ｂおよびリジッド配線回路基板２００Ｃを収容する。
【００６２】
リジッド配線回路基板２００Ｃは、本体ケーシングＣＡ内の空間を分割するように、本体ケーシングＣＡの前後方向における略中央部に配置される。
【００６３】
本体ケーシングＣＡ内のリジッド配線回路基板２００Ｃよりも前方の空間に印字装置２００Ｂが設けられる。印字装置２００Ｂのチャート紙収容部２７０は、印字部２５０による印字前および印字後のチャート紙を収容可能に構成される。
【００６４】
本体ケーシングＣＡ内のリジッド配線回路基板２００Ｃよりも前方の空間においては、上部に印字部２５０が配置され、下部にチャート紙収容部２７０が配置される。印字部２５０とチャート紙収容部２７０との間にチャート紙送り部２６０が配置される。
【００６５】
本体ケーシングＣＡの前面開口に扉部１００が開閉可能に取り付けられている。扉部１００は、表示画面１０を有する。表示画面１０は、図１の表示部１１０の一部およびタッチパネル１２０により構成される。扉部１００の詳細は後述する。
【００６６】
本体ケーシングＣＡ内のリジッド配線回路基板２００Ｃよりも後方の空間内の上部に制御装置２００Ａが配置される。本体ケーシングＣＡの背面部Ｓ５には、２つの後部開口ＢＯ（後述する図９参照）が形成されている。図１の入力／出力ユニット３００が、背面部Ｓ５の一方の後部開口ＢＯを通して本体部２００に差し込まれる。それにより、入力／出力ユニット３００の図１の接続端子ＴＡａが、本体部２００の複数の接続端子ＳＬａのいずれかに接続される。図２に太い点線の矢印ａで示すように、使用者は、入力／出力ユニット３００を記録計１の後方に引っ張ることにより、入力／出力ユニット３００を本体部２００から取り外すことができる。
【００６７】
同様に、図１の収集ユニット４００が、背面部Ｓ５の一方の後部開口ＢＯを通して本体部２００に差し込まれる。それにより、収集ユニット４００の図１の接続端子ＴＡｂが、本体部２００の複数の接続端子ＳＬｂのいずれかに接続される。図２に太い点線の矢印ｂで示すように、使用者は、収集ユニット４００を記録計１の後方に引っ張ることにより、収集ユニット４００を本体部２００から取り外すことができる。
【００６８】
図３は扉部１００が開かれた状態を示す記録計１の外観斜視図であり、図４は印字装置２００Ｂに対するチャート紙の交換作業の手順を示す図である。図３および図４に示すように、チャート紙収容部２７０は、扉部１００が開かれた状態で本体ケーシングＣＡ内から取り出し可能に構成されている。
【００６９】
それにより、図４に示すように、使用者は、扉部１００を開いた後、本体ケーシングＣＡの前面開口２００ｏを通してチャート紙収容部２７０を取り出す。このとき、チャート紙送り部２６０の構成要素のうちプラテンローラＰＲおよびチャート紙送りカバー２６１もチャート紙収容部２７０とともに取り出される。
【００７０】
その後、使用者は、チャート紙収容部２７０に収容されている印字後のチャート紙Ｃ１を取り出し、チャート紙収容部２７０に印字前のチャート紙Ｃ２を装填する。さらに、使用者は、印字前のチャート紙Ｃ２が収容されたチャート紙収容部２７０をプラテンローラＰＲおよびチャート紙送りカバー２６１とともに前面開口２００ｏを通して本体ケーシングＣＡ内に装填する。このように、使用者は、扉部１００を開くことにより、印字装置２００Ｂに対してチャート紙の交換作業を行うことができる。
【００７１】
一方、扉部１００が閉じられている状態では、使用者は、印字装置２００Ｂに装填されたチャート紙の交換作業を行うことができない。また、使用者は、印字装置２００Ｂに装填されているチャート紙に触れることもできない。
【００７２】
扉部１００の一側端の中央部からケーシングＣＡの内部に向かって帯状のフレキシブル配線回路基板１９０が延びている。フレキシブル配線回路基板１９０の端部は、ケーシングＣＡの内部で図２のリジッド配線回路基板２００Ｃに接続される。
【００７３】
フレキシブル配線回路基板１９０は、高いフレキシブル性を有する絶縁性基板および複数の配線（図示せず）を含む。複数の配線は絶縁性基板上に形成される。フレキシブル配線回路基板１９０の複数の配線により扉部１００と本体部２００とが電気的に接続される。
【００７４】
扉部１００の開閉動作によりフレキシブル配線回路基板１９０が変形する場合には、複数の配線が絶縁性基板とともにフレキシブルに変形する。したがって、扉部１００と本体部２００との間の断線の発生が防止される。
【００７５】
扉部１００は一面および他面を有する。以下の説明では、扉部１００が閉じられた状態で前方に向かう一面を扉部１００の前面と呼び、扉部１００が閉じられた状態で後方に向かう他面を扉部１００の裏面と呼ぶ。
【００７６】
図５は扉部１００の正面図である。図５に示すように、扉部１００の前面の中央部から上部にかけて表示画面１０が配置されている。図５の例では、表示画面１０に物理量の変化を示す１つの波形Ｗ１が表示されている。扉部１００の前面の下部には、図１の収集記録スイッチ１５０、電源スイッチ１７０およびＵＳＢインターフェース１８０を覆うように、下部カバー２０が開閉可能に設けられている。
【００７７】
図６は下部カバー２０が開かれた状態を示す扉部１００の外観斜視図であり、図７は下部カバー２０が開かれた状態を示す扉部１００の正面図である。図６および図７には、扉部１００の一部のみが図示される。
【００７８】
電源スイッチ１７０は、記録計１への電力の供給をオンおよびオフするためのスイッチである。制御装置２００Ａの図示しない電源回路は、電源スイッチ１７０の接点が開状態である場合に記録計１への電力の供給をオンし、電源スイッチ１７０の接点が閉状態である場合に記録計１への電力の供給をオフする。それにより、記録計１への電力の供給がオンしている状態で、フレキシブル配線回路基板１９０が破損することにより扉部１００と本体部２００との間に断線が発生しても、記録計１への電力の供給が継続される。したがって、フレキシブル配線回路基板１９０の破損時に、物理量収集動作およびチャート紙記録動作が停止することが防止される。
【００７９】
収集記録スイッチ１５０は収集スイッチ１５１および記録スイッチ１５２を含む。使用者は、収集スイッチ１５１を操作することにより、上記のように物理量データの収集開始または収集停止をＣＰＵ２１０に指令することができる。また、使用者は、記録スイッチ１５２を操作することにより、上記のようにチャート紙への波形の記録開始または記録停止をＣＰＵ２１０に指令することができる。
【００８０】
上記のように、チャート紙記録動作は物理量収集動作中に行われる。したがって、本実施の形態においては、ＣＰＵ２１０は、チャート紙記録動作中に物理量データの収集停止指令を受けると、物理量収集動作を停止するとともにチャート紙記録動作を停止する。また、ＣＰＵ２１０は、物理量収集動作の停止中にチャート紙への波形の記録開始指令を受けると、物理量収集動作を開始するとともにチャート紙記録動作を開始する。
【００８１】
ＵＳＢインターフェース１８０には、ＵＳＢフラッシュメモリが接続される。ＣＰＵ２１０は、ＵＳＢインターフェース１８０にＵＳＢフラッシュメモリが接続されると、内部メモリ２４０内に記憶されている波形ファイルを接続されたＵＳＢフラッシュメモリに記憶する。それにより、使用者は、故障等により表示画面１０に画像が表示されない場合でも、ＵＳＢフラッシュメモリを用いて図１の内部メモリ２４０に記憶された波形ファイルを容易に取り出すことができる。
【００８２】
図６に示すように、下部カバー２０の内側の面には、タッチペン２１が着脱可能に取り付けられている。使用者は、タッチペン２１を用いて表示画面１０のタッチパネル１２０上でコメント等を描画することができる。この場合、ＣＰＵ２１０は、タッチパネル１２０上に描かれたコメント等を示す描画データを生成し、内部メモリ２４０に記憶する。
【００８３】
図８は扉部１００の背面図である。図８に示すように、扉部１００の裏面には開閉検出部１３０、チャート紙調整スイッチ１４０および記録状態表示ランプ１６０が設けられている。
【００８４】
開閉検出部１３０は、扉部１００が開状態および閉状態のいずれであるかを検出し、検出結果を本体部２００のＣＰＵ２１０に与える。開閉検出部１３０として、例えば透過型または反射型の光学式検出器が用いられるが、それらに限定されない。扉部１００の開閉状態を検出することが可能であれば、光学式検出器に代えて磁気検出器または超音波検出器等が用いられてもよい。あるいは、開閉検出部１３０として、機械式スイッチが設けられてもよい。
【００８５】
チャート紙調整スイッチ１４０は、強制送りボタン１４０ａおよび印字切替ボタン１４０ｂを含む。使用者は、扉部１００が開かれた状態で強制送りボタン１４０ａを操作することにより、記録計１の動作状態によらずチャート紙送り部２６０により保持されるチャート紙を印字部２５０に対して所望の長さ分一方向に送ることができる。これにより、使用者は、扉部１００を開くことにより、記録計１の前方から印字装置２００Ｂを視認しつつ印字部２５０に対するチャート紙の位置調整を行うことができる。
【００８６】
また、使用者は、物理量収集動作中に印字切替ボタン１４０ｂを操作することにより、チャート紙への波形の記録開始または記録停止をＣＰＵ２１０に指令することができる。例えば、物理量収集動作中かつチャート紙記録動作中に印字切替ボタン１４０ｂが操作されると、ＣＰＵ２１０は物理量収集動作を継続しつつチャート紙記録動作のみを停止する。一方、物理量収集動作中かつチャート紙記録停止中に印字切替ボタン１４０ｂが操作されると、ＣＰＵ２１０は物理量収集動作を継続しつつチャート紙記録動作を開始する。
【００８７】
記録状態表示ランプ１６０は、例えば発光ダイオードからなる。記録状態表示ランプ１６０は、例えば扉部１００が開かれている状態でかつチャート紙記録動作が行われている間のみ点灯する。使用者は、記録状態表示ランプ１６０を見ることにより、チャート紙記録動作が行われているか否かを容易に認識することができる。
【００８８】
上記のように、印字部２５０は、打点方式のプリンタであり、印字ヘッドが取り付けられたキャリッジを備える。キャリッジがチャート紙の幅方向に移動することにより、物理量データが示す物理量のドットがチャート紙上に印字される。このような印字部２５０においては、例えばチャート紙が交換されるごとに、物理量が印字されるチャート紙上の領域（以下、印字領域と呼ぶ。）が、本来配置されるべき位置から幅方向にずれる場合がある。この場合、使用者は、物理量の波形の解析時にチャート紙ごとに印字領域のずれを考慮しなければならない。
【００８９】
そこで、本例では、使用者は、強制送りボタン１４０ａを操作することにより、次のように印字部２５０のキャリブレーションを行ってもよい。
【００９０】
まず、使用者は、印字ヘッドによりチャート紙に一定周期でドットを印字させるとともにキャリッジを一方の側面部Ｓ３から他方の側面部Ｓ４に向かうように移動させる。この状態で、強制送りボタン１４０ａを操作する。それにより、チャート紙上では、ドットがチャート紙の一側辺から他側辺に向かうように斜めに印字される。そこで、使用者は、ドットがチャート紙上に設定されるべき印字領域の一方の境界位置に達することにより、キャリッジの移動、ドットの印字およびチャート紙を一方向に送る動作を停止させる。そして、現在の印字ヘッドの位置が、印字領域の下限位置（または上限位置）であることを設定する。
【００９１】
次に、使用者は、印字ヘッドによりチャート紙に一定周期でドットを印字させるとともにキャリッジを他方の側面部Ｓ４から一方の側面部Ｓ３に向かうように移動させる。この状態で、強制送りボタン１４０ａを操作する。それにより、チャート紙上では、ドットがチャート紙の他側辺から一側辺に向かうように斜めに印字される。そこで、使用者は、ドットがチャート紙上に設定されるべき印字領域の他方の境界位置に達することにより、キャリッジの移動、ドットの印字およびチャート紙を一方向に送る動作を停止させる。そして、現在の印字ヘッドの位置が、印字領域の上限位置（または下限位置）であることを設定する。このように、印字部２５０においては、チャート紙ごとに印字領域の上限位置および下限位置が設定されることにより、印字領域の位置ずれが防止される。
【００９２】
図５および図８に示すように、扉部１００の一側端に扉支持部３０が設けられている。扉支持部３０には、上下方向に延びる貫通孔３１が形成されている。扉支持部３０の貫通孔３１には、円環形状の横断面を有する金属製の支持軸３２が挿入されている。支持軸３２の外径は、扉支持部３０の貫通孔３１の内径とほぼ等しい。
【００９３】
図９は、扉部１００を本体部２００に取り付ける状態を示す組立て斜視図である。図９には、扉部１００および本体部２００の一部のみが図示される。
【００９４】
図９に示すように、本体ケーシングＣＡの上面部Ｓ１に形成されたフランジ２００ｆの一側端の前方隅部には、前方に突出する支持部５０が形成されている。その支持部５０の中央部には貫通孔５１が形成されている。同様に、底面部Ｓ２（図２）に形成されたフランジ２００ｆの一側端の前方隅部にも、前方に突出する支持部５０が形成されている。その支持部５０の中央部には貫通孔５１が形成されている。底面部Ｓ２に形成される支持部５０の図示は省略する。
【００９５】
支持軸３２には、上端から下端にかけてその軸心に沿うように貫通孔３３が形成されている。扉部１００の支持軸３２の貫通孔３３の上端部分が上側の支持部５０の貫通孔５１に重なるようにかつ支持軸３２の貫通孔３３の下端部分が下側の支持部５０の貫通孔５１に重なるように支持軸３２が位置決めされる。
【００９６】
この状態で、本体ケーシングＣＡの上方から上側の支持部５０の貫通孔５１、支持軸３２の貫通孔３３および下側の支持部５０の貫通孔５１に固定軸３４が挿入される。
【００９７】
固定軸３４の長さは、支持軸３２の長さと２つの支持部５０の上下方向の厚みとの加算値よりも大きい。また、固定軸３４の上端にはねじ頭が形成されている。さらに、固定軸３４の下端およびその近傍の外周面には、ねじ切り加工が施されている。
【００９８】
そのため、貫通孔５１，５３，５１に固定軸３４が挿入されることによりねじ頭が上側の支持部５０の上面に当接すると、固定軸３４のねじ切り加工されている部分が下側の支持部５０の貫通孔５１から下方に突出する。固定軸３４の下方に突出する部分に図示しないナットが取り付けられる。このようにして、支持軸３２が固定軸３４によりケーシングＣＡに固定され、扉部１００が本体部２００の本体ケーシングＣＡに取り付けられる。扉部１００の開閉動作時には、扉支持部３０の貫通孔３１の内周面が支持軸３２の外周面に対して周方向に摺動する。
【００９９】
上記のように、金属製の支持軸３２により支持部５０が支持された状態で、支持軸３２が本体ケーシングＣＡに取り付けられる。それにより、表示画面１０等により扉部１００の重量が増大する場合でも、扉部１００の開閉動作を安定化させるとともに、本体ケーシングＣＡから扉部１００を外れにくくすることができる。
【０１００】
図１０は、図１の記録計１の背面図である。図１０に示すように、制御装置２００Ａの背面には、後方の空間に露出するようにＵＳＢインターフェース２９１、ＲＳ４８５インターフェース２９２、イーサネットインターフェース２９３および電源端子２９４が設けられている。
【０１０１】
ＵＳＢインターフェース２９１には、扉部１００に設けられるＵＳＢインターフェース１８０（図７）と同様に、例えばＵＳＢフラッシュメモリが接続される。ＣＰＵ２１０は、ＵＳＢインターフェース２９１にＵＳＢフラッシュメモリが接続されると、内部メモリ２４０内に記憶されている波形ファイルを接続されたＵＳＢフラッシュメモリに記憶する。それにより、使用者は、扉部１００と本体部２００との間で断線が発生した場合でも、ＵＳＢフラッシュメモリを用いて図１の内部メモリ２４０に記憶された波形ファイルを容易に取り出すことができる。
【０１０２】
ＲＳ４８５インターフェース２９２およびイーサネットインターフェース２９３には、配線（図示せず）を通して記録計１の外部機器（例えば、パーソナルコンピュータまたはプログラマブルコントローラ等）が接続される。例えば外部機器からＲＳ４８５インターフェース２９２を通して記録計１に物理量データが与えられる。また、例えば外部機器からイーサネットインターフェース２９３を通して記録計１に物理量データが与えられる。これらの場合、ＣＰＵ２１０は、ＲＳ４８５インターフェース２９２およびイーサネットインターフェース２９３を通して外部機器から与えられる物理量データを内部メモリ２４０に記憶することも可能である。電源端子２９４には、電源コード（図示せず）が接続される。
【０１０３】
図１０に示すように、本体ケーシングＣＡの背面部Ｓ５には、２つの後部開口ＢＯが形成されている。上記のように、図１の入力／出力ユニット３００が一方の後部開口ＢＯを通して本体部２００に差し込まれ、図１の収集ユニット４００が一方の後部開口ＢＯを通して本体部２００に差し込まれる。
【０１０４】
［３］内部メモリに記憶される情報
上記のように、物理量収集動作により波形ファイルが図１の内部メモリ２４０に記憶される。それにより、使用者は、物理量収集動作中または物理量収集動作の停止時に、図１のタッチパネル１２０を操作することにより、過去に生成された波形ファイルに基づく波形を表示画面１０に表示させることができる。この場合、使用者は、例えば物理量収集動作中に、その物理量収集動作よりも過去に生成された波形ファイルに基づく波形と現在生成される物理量データに基づく波形とを表示画面１０に交互に切り替えて表示させることができる。
【０１０５】
また、使用者は、物理量収集動作中または物理量収集動作の停止時に、図１のタッチパネル１２０を操作することにより、過去に生成された波形ファイルに基づく波形をチャート紙に印字することができる。
【０１０６】
内部メモリ２４０に記憶可能な物理量データの量は、チャート紙収容部２７０に収容されるチャート紙の全体に物理量の波形を印字するために用いられる物理量データの量よりも十分に大きい。本実施の形態では、内部メモリ２４０に記憶可能な物理量データの量は、１６ｍの長さを有するチャート紙の全体に物理量の波形を印字するために用いられる物理量データの量の１０倍よりも大きい。それにより、内部メモリ２４０の空き領域が大きい場合には、チャート紙またはインクカートリッジの交換作業によりチャート紙に物理量の波形を印字することができない場合でも、それらの交換作業中に生成される物理量データが内部メモリ２４０に記憶される。さらに内部メモリ２４０には、上記の波形ファイルに加えて以下に示す種々の情報が記憶される。
【０１０７】
使用者は、図１のタッチパネル１２０を操作することによりデジタル信号のサンプリング条件を設定することができる。この場合、設定されたサンプリング条件が内部メモリ２４０に記憶される。サンプリング条件として例えば収集ユニット４００によるデジタル信号のサンプリング周期が設定される。
【０１０８】
また、使用者は、図１のタッチパネル１２０を操作することにより印字装置２００Ｂによる波形の印字条件を設定することができる。この場合、設定された印字条件が内部メモリ２４０に記憶される。波形の印字条件として例えばチャート紙送り部２６０によるチャート紙の送り速度、および印字部２５０によるドットの印字（打点）周期等が設定される。
【０１０９】
チャート紙の送り速度を設定する場合、使用者は図１のタッチパネル１２０を操作する。図１１は、チャート紙の送り速度の設定時における図２の表示画面１０の一表示例を示す図である。
【０１１０】
図１１に示すように、チャート紙の送り速度の設定時には、表示画面１０に送り速度入力部９１、複数の数字ボタン９２および設定保存ボタン９３が表示される。この場合、使用者は、複数の数字ボタン９２を操作することにより、送り速度入力部９１に所望の送り速度を入力する。その後、使用者は、設定保存ボタン９３を操作する。それにより、送り速度が設定され、設定された送り速度が内部メモリ２４０に記憶される。
【０１１１】
また、使用者は、図１のタッチパネル１２０を操作することにより表示部１１０による波形の表示条件を設定することができる。この場合、設定された表示条件が内部メモリ２４０に記憶される。波形の表示条件として例えば表示画面１０上に表示される波形の時間軸単位等が設定される。
【０１１２】
本実施の形態においては、チャート紙記録動作が行われるごとに、そのチャート紙記録動作の開始時点および停止時点が、それぞれ印字履歴情報として内部メモリ２４０に記憶される。また、扉部１００（図２）が開かれるごとに、その時点、すなわち扉部１００が閉状態から開状態に切り替わる時点が開閉履歴情報として内部メモリ２４０に記憶される。また、扉部１００（図２）が閉じられるごとに、その時点、すなわち扉部１００が開状態から閉状態に切り替わる時点が開閉履歴情報として内部メモリ２４０に記憶される。
【０１１３】
本体部２００は、複数の入力チャンネルを有する。入力チャンネルは、温度／電圧チャンネル、パルスチャンネル、演算チャンネルおよびＭｏｄｂｕｓ（モドバス）チャンネルを含む。温度／電圧チャンネルには、温度または電圧の値を示す信号が入力される。パルスチャンネルには、パルス信号が入力される。演算チャンネルには、他の１または複数の入力チャンネルに入力された信号の演算結果等が入力される。Ｍｏｄｂｕｓチャンネルには、Ｍｏｄｂｕｓプロトコルに従うＭｏｄｂｕｓ機器からの信号が入力される。
【０１１４】
本体部２００に接続される１または複数の収集ユニット４００の各々は、複数種類の物理量に対応する複数種類の物理量データを本体部２００の複数の入力チャンネルにそれぞれ与えることができる。
【０１１５】
使用者は、図１のタッチパネル１２０を操作することにより複数の入力チャンネルから選択した入力チャンネルを印字のための１または複数の出力チャンネルに割り当てることができる。また、使用者は、図１のタッチパネル１２０を操作することにより複数の入力チャンネルから選択した入力チャンネルを表示のための１または複数の出力チャンネルに割り当てることができる。
【０１１６】
以下、選択された入力チャンネルが割り当てられる印字のための出力チャンネルを打点チャンネルと呼ぶ。選択された入力チャンネルが割り当てられる表示のための出力チャンネルを表示チャンネルと呼ぶ。
【０１１７】
さらに、使用者は、図１のタッチパネル１２０を操作することにより、１または複数の入力チャンネル、１または複数の打点チャンネルおよび１または複数の表示チャンネルの各々について種々の設定を行うことができる。
【０１１８】
例えば、使用者は、入力チャンネルごとに、物理量の入力レンジ、入力される物理量を所定のスケールに変換するための変換テーブル等を設定することができる。また、使用者は、打点チャンネルごとに、印字されるドットの色およびチャート紙上に示される物理量のスケール等を設定することができる。さらに、使用者は、表示チャンネルごとに、表示画面１０に表示するか否か、表示される波形の色および表示画面１０上に示される物理量のスケール等を設定することができる。
【０１１９】
これらの場合、１または複数の入力チャンネル、１または複数の打点チャンネルおよび１または複数の表示チャンネルの各々についての設定内容が内部メモリ２４０に記憶される。
【０１２０】
さらに、本実施の形態においては、予め定められたインクカートリッジ目標値および予め定められたチャート紙長さが内部メモリ２４０に記憶される。インクカートリッジ目標値は、例えば印字部２５０において一のインクカートリッジでドットの印字が可能な回数を表す。チャート紙長さは、チャート紙送り部２６０に保持されるチャート紙の長さを表す。
【０１２１】
内部メモリ２４０には、上記の複数の情報の他に、物理量データに関連する情報としてアラーム情報およびコメント情報が記憶される。また、記録計１のセキュリティのための情報として使用者名およびパスワードが記憶される。アラーム情報、コメント情報、使用者名およびパスワードについての詳細は後述する。
【０１２２】
［４］表示画面の表示例
使用者は、例えば図１のタッチパネル１２０を操作することにより、または図示しない操作スイッチを操作することにより、図２の表示画面１０に物理量の変化を示す波形に代えて種々の情報を表示させることができる。図１２は、図２の表示画面１０の一表示例を示す図である。
【０１２３】
図１２の例では、矩形点線部１１に示すように、記録計１の現在の状態、チャート紙送り部２６０によるチャート紙の送り速度、および印字部２５０によるドットの印字周期が、表示画面１０の上部に表示される。
【０１２４】
また、図１２の例では、矩形点線部１２に示すように、チャート紙記録動作の開始時点および停止時点が、印字履歴情報として表示画面１０の中央部に表示される。
【０１２５】
本実施の形態においては、ＣＰＵ２１０は、印字部２５０から与えられるドット印字信号に基づいて、印字部２５０に設けられるインクカートリッジについての累積印字回数をカウントする。また、ＣＰＵ２１０は、内部メモリ２４０に記憶されたインクカートリッジ目標値に対する累積印字回数の比率を、現在使用されているインクカートリッジのインク残量として算出する。
【０１２６】
例えば、インクカートリッジ目標値が１０００００でありかつ累積印字回数が５００００である場合、インク残量は５０％と算出される。この場合、図１２の矩形点線部１３ａに示すように、表示画面１０に「インク：残り５０％」という文字列がインク残量として表示される。また、インクカートリッジ目標値が１０００００でありかつ累積印字回数が９００００である場合には、表示画面１０に「インク：残り１０％」という文字列がインク残量として表示される。さらに、インクカートリッジ目標値が１０００００でありかつ累積印字回数が１０００００以上である場合には、表示画面１０に「インク：交換時期」という文字列がインク残量として表示される。それにより、使用者は、扉部１００が閉じられている場合でも、表示画面１０を視認することによりケーシングＣＡ内のインク残量を記録計１の前方から容易に認識することができる。その結果、使用者は適切なタイミングでインクカートリッジの交換作業を行うことができる。
【０１２７】
インク残量の表示部分の隣にインクリセットボタン１３ｂが表示される。使用者は、印字部２５０のインクカートリッジを交換するごとにインクリセットボタン１３ｂを操作する。この場合、ＣＰＵ２１０によりカウントされる累積印字回数がリセットされる。なお、記録計１においては、印字部２５０のインクカートリッジが交換されるごとに、ＣＰＵ２１０によりカウントされる累積印字回数が自動的にリセットされてもよい。
【０１２８】
本実施の形態においては、ＣＰＵ２１０は、チャート紙送り部２６０から与えられるチャート紙送り信号に基づいて、チャート紙収容部２７０に収容されているチャート紙の送り回数をカウントし、チャート紙送り部２６０により保持されるチャート紙がどれだけの長さ分印字部２５０に対して一方向に送られたかを示す累積送り長さを算出する。また、ＣＰＵ２１０は、内部メモリ２４０に記憶されたチャート紙長さから累積送り長さを減算することにより得られる減算結果をチャート紙残量として算出する。
【０１２９】
例えば、チャート紙長さが１６ｍでありかつ累積送り長さが８ｍである場合、チャート紙残量は８０００ｍｍである。この場合、図１２の矩形点線部１４ａに示すように、表示画面１０に「紙：残り８０００ｍｍ」という文字列がチャート紙残量として表示される。また、チャート紙長さが１６ｍでありかつ累積送り長さが１５．５ｍである場合、チャート紙残量は５００ｍｍである。この場合、表示画面１０には「紙：交換時期」という文字列がチャート紙残量として表示される。それにより、使用者は、扉部１００が閉じられている場合でも、表示画面１０を視認することによりケーシングＣＡ内のチャート紙の残量を記録計１の前方から容易に認識することができる。その結果、使用者は適切なタイミングでチャート紙の交換作業を行うことができる。
【０１３０】
チャート紙残量の表示部分の隣に紙リセットボタン１４ｂが表示される。使用者は、チャート紙を交換するごとに紙リセットボタン１４ｂを操作する。それにより、ＣＰＵ２１０により算出される累積送り長さがリセットされる。なお、記録計１においては、チャート紙が交換されるごとに、ＣＰＵ２１０により算出される累積送り長さが自動的にリセットされてもよい。
【０１３１】
図１２の例では、表示画面１０の最下部に印字開始ボタン１５および印字停止ボタン１６が表示されている。使用者は、図１の収集記録スイッチ１５０を操作する代わりに、印字開始ボタン１５を操作することにより、チャート紙への波形の記録開始をＣＰＵ２１０に指令することができる。また、使用者は、印字停止ボタン１６を操作することにより、チャート紙への波形の記録停止をＣＰＵ２１０に指令することができる。
【０１３２】
図１３は、図２の表示画面１０の他の表示例を示す図である。図１３の表示例について、図１２の表示例と異なる点を説明する。図１３の例では、矩形点線部１７に示すように、現在設定されているサンプリング周期が、内部メモリ２４０に記憶されたサンプリング条件に基づいて表示画面１０の中央部上段に表示される。また、図１３の例では、矩形点線部１８に示すように、現在設定されている表示画面１０上の波形の時間軸単位が、内部メモリ２４０に記憶された表示条件に基づいて表示画面１０の中央部中段に表示される。
【０１３３】
さらに、図１３の例では、矩形点線部１９に示すように、扉部１００が開かれた時点および扉部１００が閉じられた時点が、開閉履歴情報として表示画面１０の中央部下段に表示される。
【０１３４】
上記のように、使用者は、現在設定されているチャート紙の送り速度、印字周期、サンプリング周期および表示画面１０における時間軸単位等の情報を、図２の表示画面１０に表示させることができる。それにより、使用者は、種々の設定内容を容易に確認することができる。
【０１３５】
また、使用者は、物理量データに関連する情報として、印字履歴情報および開閉履歴情報を表示画面１０に表示させることができる。したがって、使用者は、物理量データに関連する情報を容易に確認することができる。
【０１３６】
［５］チャート紙への印字例
（１）チャート紙に印字される内容について、記録計１の動作とともに説明する。図１４は、図１の記録計１により物理量の変化を示す波形が印字されたチャート紙の一例を示す図である。図１４のチャート紙においては、縦軸が時間を表し、横軸が物理量（本例では電圧）の大きさを表す。太い矢印で示すように、本例の縦軸においてはチャート紙の下方から上方に向かって時間が進行する。
【０１３７】
まず、使用者が、物理量データの収集開始およびチャート紙への波形の記録開始をＣＰＵ２１０に指令する。この場合、図１４の矩形点線部ｐｔ１に示すように、印字履歴情報としてチャート紙記録動作の開始時点「２０１２／１１／１９  １９：００：００」がチャート紙に印字される。また、内部メモリ２４０に記憶された印字条件に基づいてチャート紙の送り速度「９０ｍｍ／ｈ」が印字される。さらに、物理量に対応するドットが予め設定された印字条件で印字される。
【０１３８】
その後、使用者が、図１の印字部２５０に用いられるインクカートリッジを交換するために扉部１００を開いた後、物理量データの収集停止をＣＰＵ２１０に指令する。それにより、物理量収集動作およびチャート紙記録動作が停止する。この場合、図１４の矩形点線部ｐｔ２に示すように、開閉履歴情報として扉部１００が開かれたことを示す文字列「トビラオープン」がチャート紙に印字される。また、扉部１００が開かれた時点「２０１２／１１／１９  １９：１９」が印字される。
【０１３９】
使用者が、インクカートリッジを交換して扉部１００を閉じた後、物理量データの収集開始およびチャート紙への波形の記録開始をＣＰＵ２１０に再度指令する。この場合、図１４の矩形点線部ｐｔ３に示すように、印字履歴情報としてチャート紙記録動作の再開時点「２０１２／１１／１９  １９：２９：３４」がチャート紙に印字される。また、内部メモリ２４０に記憶された印字条件に基づいてチャート紙の送り速度「９０ｍｍ／ｈ」が印字される。さらに、物理量に対応するドットの印字が再開される。
【０１４０】
チャート紙には、チャート紙記録動作の開始時点から一定期間経過するごとに経過時点が印字される。図１４の例では、矩形点線部ｐｔ４に示すように、チャート紙記録動作の再開時点から１時間経過することにより、その経過時点「２０１２／１１／１９  ２０：２９：３４」がチャート紙に印字される。
【０１４１】
図１４の矩形点線部ｐｔ５に示すように、チャート紙記録動作の開始から一定期間経過することにより、チャート紙の横軸に示される物理量のスケールが予め設定された印字条件に基づいてチャート紙に印字される。
【０１４２】
（２）上記のように、本例では、開閉履歴情報として扉部１００が開かれたことを示す文字列「トビラオープン」がチャート紙に印字される。この機能は、以下のように使用することができる。
【０１４３】
例えば、管理者が、記録計１の使用者に物理量の測定および記録を依頼した場合を想定する。この場合、管理者は、使用者が新しいチャート紙を印字部２５０に装填し、物理量の波形の印字を開始する際に、その作業現場に立ち会う。その後、管理者は、物理量の波形の印字が終了し、使用者が印字後のチャート紙をチャート紙収容部２７０から取り出す際に、その作業現場に立ち会う。
【０１４４】
このとき、管理者は、チャート紙収容部２７０から取り出された印字後のチャート紙に文字列「トビラオープン」が印字されているか否かを確認する。それにより、管理者は、文字列「トビラオープン」が印字されていない場合に、物理量の波形の印字開始から印字終了までの間で、印字装置２００Ｂ内のチャート紙が誰にも触れられなかったことを容易に認識することができる。一方、管理者は、文字列「トビラオープン」が印字されている場合に、物理量の波形の印字開始から印字終了までの間で、印字装置２００Ｂ内のチャート紙が誰かに触れられた可能性があることを容易に認識することができる。
【０１４５】
（３）また、開閉履歴情報をチャート紙に印字する上記の機能は、以下のように使用することもできる。
【０１４６】
例えば、チャート紙記録動作中一定時間（例えば、２時間）ごとに、使用者がチャート紙の波形の印字状態を確認しなければならない場合を想定する。この場合、使用者がチャート紙を視認するために記録計１の扉部１００を開くと、文字列「トビラオープン」が扉部１００が物理量の波形とともに印字される。
【０１４７】
それにより、管理者は、チャート紙に一定時間ごとに文字列「トビラオープン」が印字されていることを確認することにより、使用者が一定時間ごとにチャート紙の波形の印字状態を確認していることを知ることができる。また、使用者は、チャート紙を確認するごとに、チャート紙に印字状態を確認したことを書き込む必要がなくなる。
【０１４８】
［６］使用例
図１５は、物理量の波形の印字中のチャート紙に使用者がコメントを書き込む例を示す図である。図１５に示すように、チャート紙送り部２６０においては、プラテンローラＰＲを前方から覆うようにチャート紙送りカバー２６１が配置されている。チャート紙送りカバー２６１の上部には、矩形の切り欠き２６１ｋが形成されている。
【０１４９】
使用者は、扉部１００が開かれた状態で、チャート紙送りカバー２６１の切り欠き２６１ｋの部分を通してプラテンローラＰＲの外表面上で保持されるチャート紙に種々のコメントを書き込むことができる。図１５の例では、チャート紙に日付、天候および気温が書き込まれる。このように、チャート紙に種々の情報が書き込まれることにより、使用者は、コメントを参照しつつ物理量の変化をより詳細に解析することができる。
【０１５０】
チャート紙送り部２６０においては、印字部２５０により印字されたチャート紙がプラテンローラＰＲによりチャート紙送りカバー２６１の内側の面に沿って下方に導かれる。チャート紙収容部２７０は、前面カバー２７１を含む。前面カバー２７１は、チャート紙送り部２６０のチャート紙送りカバー２６１の下方に設けられる。
【０１５１】
チャート紙送り部２６０から下方に導かれる印字後のチャート紙は、チャート紙収容部２７０内で前面カバー２７１よりも内側の予め定められた収容位置へさらに導かれる。
【０１５２】
本例のチャート紙送りカバー２６１および前面カバー２７１には、透光性樹脂またはガラス等の透光性材料が用いられる。この場合、図１５に示すように、使用者は、印字後のチャート紙がチャート紙送り部２６０からチャート紙収容部２７０に送られる間に、チャート紙に印字された物理量の波形をチャート紙送りカバー２６１および前面カバー２７１を通して容易に視認することができる。それにより、使用者は、扉部１００を開くことにより波形の印字状態を容易かつ短時間で確認することができる。
【０１５３】
また、上記のように、表示部１１０が透過型の液晶ディスプレイパネルまたは透過型の有機ＥＬパネルにより構成されかつタッチパネル１２０が透過型のパネルにより構成される場合、使用者は、扉部１００を開くことなく本体ケーシングＣＡ内のチャート紙を視認することができる。具体的には、使用者は、表示部１１０による画像表示をオフすることにより、扉部１００の表示画面１０、チャート紙送りカバー２６１および前面カバー２７１を通して記録計１の前方からチャート紙上に印字された物理量の波形を視認することができる。それにより、使用者は、扉部１００を開くことなく波形の印字状態を容易かつ短時間で確認することができる。
【０１５４】
図１５の例では、使用者がチャート紙上にコメントを書き込む例を説明した。これに限らず、使用者は、表示画面１０に物理量の波形が表示された状態で、図６のタッチペン２１を用いて表示画面１０（タッチパネル１２０）上にコメントを書き込むことができる。
【０１５５】
図１６は、物理量収集動作中に表示画面１０に使用者がコメントを書き込む例を示す図である。この場合、書き込まれたコメントを示す描画データが、表示画面１０に表示される波形の物理量データに対応付けられるとともに内部メモリ２４０に記憶される。それにより、使用者は、例えば後述する検索機能を用いることにより、描画データが対応付けられた過去の物理量データを容易に検索することができる。
【０１５６】
［７］設置例
本実施の形態に係る記録計１は、例えば工場内の制御盤に取り付けて使用することができる。図１７は、制御盤への記録計１の取り付け例を示す図である。上記のように、本体ケーシングＣＡの上面部Ｓ１、底面部Ｓ２、一方の側面部Ｓ３および他方の側面部Ｓ４の前端部外表面にはフランジ２００ｆが形成されている。
【０１５７】
扉部１００の前面が制御盤ＣＢの前方に向かうように、予め制御盤ＣＢに形成されている開口部に記録計１が前方から嵌め込まれる。この状態で、フランジ２００ｆがねじ等の固定金具（図示せず）により制御盤ＣＢに取り付けられ、記録計１の本体部２００が制御盤ＣＢに固定される。このように、本実施の形態に係る記録計１は、制御盤ＣＢ取り付けられた状態で使用することができる。
【０１５８】
図１７の例の他、記録計１は可搬型の記録計として構成されてもよい。図１８は、可搬型の記録計１を示す外観斜視図である。図１８の例では、本体ケーシングＣＡの上面部Ｓ１にグリップＧＲが設けられる。この場合、使用者は、グリップＧＲを掴むことにより記録計１を所望の場所に運ぶことができる。
【０１５９】
［８］検索機能
記録計１は、物理量収集動作中または物理量収集動作の停止時に、内部メモリ２４０に記憶されている物理量データに基づいて、後述する検索条件を満たす物理量データを検索し、検索された物理量データが示す物理量を含む波形を表示画面１０に表示する検索機能を有する。
【０１６０】
使用者は、検索機能を使用する場合、図１のタッチパネル１２０を操作することにより内部メモリ２４０に記憶された１または複数の波形ファイルから１の波形ファイルを選択する。その後、使用者は、選択された波形ファイルに含まれる物理量データの検索条件を設定する。検索条件の設定時には、表示画面１０に検索条件の種類を示す複数の項目が表示される。
【０１６１】
図１９は、検索条件の設定時における表示画面１０の表示例を示す図である。図１９の例では、検索条件の種類として、「最大値」、「最小値」、「コメント」、「期間指定」、「扉部開放時点」および「しきい値」が表示画面１０に表示される。使用者は、表示された複数の項目のうち所望の項目を選択する。それにより、検索条件が設定される。設定された検索条件は、内部メモリ２４０に記憶される。
【０１６２】
例えば、使用者が「最大値」を選択した場合、図１のＣＰＵ２１０は、選択された波形ファイルに含まれる複数の物理量データから最大の物理量を示す物理量データを検索する。図２０は、図１９の「最大値」が選択された場合の検索結果の表示例を示す図である。図２０に示すように、使用者が図１９の「最大値」を選択した場合、ＣＰＵ２１０は、検索結果に基づいて最大の物理量を示す波形を表示画面１０に表示させる。
【０１６３】
また、使用者が図１９の「最小値」を選択した場合、図１のＣＰＵ２１０は、選択された波形ファイルに含まれる複数の物理量データから最小の物理量を示す物理量データを検索する。その後、ＣＰＵ２１０は、検索結果に基づいて最小の物理量を示す波形を表示画面１０に表示させる。
【０１６４】
また、使用者が「コメント」を選択した場合、図１のＣＰＵ２１０は、選択された波形ファイルに含まれる複数の物理量データから、コメントを示す描画データ、または後述する登録コメントを示すテキストデータが対応付けられた物理量データを検索する。その後、ＣＰＵ２１０は、検索結果に基づいてコメントが付加された波形をそのコメントとともに表示画面１０に表示させる。
【０１６５】
また、使用者が図１９の「期間指定」を選択した場合、図１のＣＰＵ２１０は、表示画面１０に検索対象期間を入力するための入力欄（図示せず）を表示させる。使用者が表示画面１０に表示された入力欄に検索対象期間を入力すると、ＣＰＵ２１０は、選択された波形ファイルに含まれる複数の物理量データから設定された検索対象期間内に収集された物理量データを検索する。その後、ＣＰＵ２１０は、検索結果に基づいて検索対象期間内の物理量を示す波形を表示画面１０に表示させる。
【０１６６】
また、使用者が「扉部開放時点」を選択した場合、図１のＣＰＵ２１０は、開閉履歴情報に基づいて、選択された波形ファイルに含まれる複数の物理量データから扉部１００（図２）が開かれた時点で収集された物理量データを検索する。その後、ＣＰＵ２１０は、検索結果に基づいて扉部１００が開かれた時点の物理量を示す波形を表示画面１０に表示させる。
【０１６７】
また、使用者が図１９の「しきい値」を選択した場合、図１のＣＰＵ２１０は、表示画面１０に物理量についてのしきい値を入力するための入力欄（図示せず）を表示させる。使用者が表示画面１０に表示された入力欄にしきい値を入力すると、ＣＰＵ２１０は、例えば選択された波形ファイルに含まれる複数の物理量データからしきい値よりも大きい（または小さい）物理量を示す物理量データを検索する。その後、ＣＰＵ２１０は、検索結果に基づいてしきい値よりも大きい（または小さい）物理量を示す波形の部分を表示画面１０に表示させる。
【０１６８】
検索結果が複数の物理量データを含むことにより、複数の波形が表示画面１０に表示されるべき場合には、複数の波形が順次表示画面１０に表示されてもよい。
【０１６９】
図１９の例に限らず、検索条件の設定時には、検索条件の種類として「アラーム」が表示画面１０に表示されてもよい。使用者が「アラーム」を選択した場合、図１のＣＰＵ２１０は、例えば後述するアラーム機能により設定されたアラーム条件を満たす物理量データを検索してもよい。
【０１７０】
［９］アラーム機能
記録計１は、使用者により予め設定された条件を満たす物理量データが生成された場合に警報を発生するアラーム機能を有する。以下、アラーム機能において警報を発生するか否かを判定するために用いられる物理量データの条件をアラーム条件と呼ぶ。アラーム機能によれば、物理量収集動作中アラーム条件を満たす物理量データが生成された場合に、アラーム条件を満たす物理量データが生成されたことを示すアラーム情報が生成される。生成されたアラーム情報は、アラーム条件を満たす物理量データに対応付けられるとともに内部メモリ２４０に記憶される。
【０１７１】
使用者は、例えば図１のタッチパネル１２０を操作することにより所望のアラーム条件を設定することができる。アラーム条件の設定例を説明する。図２１〜図２４は、アラーム条件の設定時における表示画面１０の表示例を示す図である。本例では、図１の本体部２００が６つの入力チャンネルＣＨ１〜ＣＨ６を有する。アラーム条件の設定時には、図２１に示すように、まず表示画面１０にチャンネル選択画面ＡＳ１が表示される。
【０１７２】
チャンネル選択画面ＡＳ１においては、中央部よりも左側の位置で上下方向に並ぶように６つの入力チャンネルＣＨ１〜ＣＨ６をそれぞれ示す６つのチャンネルボタンｂ１１が表示される。中央部には、設定されているアラーム条件の一覧が表示される。下部には、設定保存ボタンｂ１２が表示される。
【０１７３】
本アラーム機能では、本体部２００の入力チャンネルごとに複数（本例では２つ）のアラーム条件を設定することが可能である。以下、各入力チャンネルに対応する２つのアラーム条件のうちの一方のアラーム条件を１番目のアラーム条件と呼び、他方のアラーム条件を２番目のアラーム条件と呼ぶ。
【０１７４】
使用者は、チャンネル選択画面ＡＳ１に表示される６つのチャンネルボタンｂ１１から所望のチャンネルボタンｂ１１（例えば、入力チャンネルＣＨ１のチャンネルボタンｂ１１）を選択する。それにより、表示画面１０には、図２２に示すように、選択されたチャンネルボタンｂ１１に対応する１番目のアラーム条件を設定するためのアラーム設定画面ＡＳ２が表示される。
【０１７５】
アラーム設定画面ＡＳ２においては、中央部よりも左側の位置で上下方向に並ぶように複数のアラーム種類ボタンｂ１３が表示される。中央部よりも右側の位置には、上下方向に並ぶようにアラーム表示チェックボックスｂ１４およびアラーム印字チェックボックスｂ１５が表示される。下部には、次へボタンｂ１６が表示される。
【０１７６】
複数のアラーム種類ボタンｂ１３には、アラーム条件の複数の種類として、「オフ」、「上限値」、「下限値」、「範囲内」および「範囲外」の文字列がそれぞれ付されている。「オフ」は、警報を発生しないことを示す。「上限値」は、生成される物理量データの物理量が使用者により設定される上限値以上である場合に警報を発生することを示す。「下限値」は、生成される物理量データの物理量が使用者により設定される下限値以下である場合に警報を発生することを示す。「範囲内」は、生成される物理量データの物理量が使用者により設定される下限値以上上限値以下である場合に警報を発生することを示す。「範囲外」は、生成される物理量データの物理量が使用者により設定される下限値以上上限値以下ではない場合に警報を発生することを示す。
【０１７７】
使用者が複数のアラーム種類ボタンｂ１３のうち「上限値」のアラーム種類ボタンｂ１３を選択すると、図２３に示すように、表示画面１０にアラーム詳細設定画面ＡＳ３が表示される。アラーム詳細設定画面ＡＳ３においては、図２２のアラーム設定画面ＡＳ２で使用者により選択されたアラーム種類ボタンｂ１３に対応する数値入力欄ｂ１７が表示される。
【０１７８】
上記のように「上限値」のアラーム種類ボタンｂ１３が選択された場合には、設定されるべき上限値を入力するための１つの数値入力欄ｂ１７が表示される。一方、「下限値」のアラーム種類ボタンｂ１３が選択された場合には、設定されるべき下限値を入力するための１つの数値入力欄ｂ１７が表示される。他方、「範囲内」または「範囲外」のアラーム種類ボタンｂ１３が選択された場合には、設定されるべき上限値および下限値をそれぞれ入力するための２つの数値入力欄ｂ１７が表示される。
【０１７９】
図２３のアラーム詳細設定画面ＡＳ３には、下部に戻るボタンｂ１８が表示される。使用者は、数値入力欄ｂ１７に所望の数値を入力した後、戻るボタンｂ１８を操作する。それにより、表示画面１０に図２２のアラーム設定画面ＡＳ２が再表示される。このとき、再表示されたアラーム設定画面ＡＳ２においては、使用者により選択されたアラーム種類ボタンｂ１３がハイライト表示されてもよい。
【０１８０】
図２２のアラーム設定画面ＡＳ２においては、使用者は、アラーム表示チェックボックスｂ１４およびアラーム印字チェックボックスｂ１５にそれぞれチェックを入れることができる。
【０１８１】
使用者は、上記のようにして入力チャンネルＣＨ１に対応する１番目のアラーム条件を設定した後、図２２の次へボタンｂ１６を操作する。それにより、表示画面１０には、入力チャンネルＣＨ１に対応する２番目のアラーム条件を設定するためのアラーム設定画面ＡＳ２が表示される。使用者は、１番目のアラーム条件と同様に２番目のアラーム条件を設定した後、さらに図２２の次へボタンｂ１６を操作する。それにより、図２４に示すように、表示画面１０にチャンネル選択画面ＡＳ１が再表示される。図２４のチャンネル選択画面ＡＳ１においては、中央部に入力チャンネルＣＨ１に対応して設定された１番目のアラーム条件の種類「上限値」が表示されている。また、入力チャンネルＣＨ１に対応して設定された２番目のアラーム条件の種類「下限値」が表示されている。
【０１８２】
使用者は、図２４のチャンネル選択画面ＡＳ１を視認することにより、入力チャンネルＣＨ１に対応して「上限値」および「下限値」のアラーム条件が設定されていることを知ることができる。最後に、使用者は、図２４の設定保存ボタンｂ１２を操作する。それにより、入力チャンネルＣＨ１に対応して設定された２つのアラーム条件が内部メモリ２４０に記憶される。
【０１８３】
上記のようにアラーム条件が設定された場合、ＣＰＵ２１０は、物理量収集動作中物理量データが生成されるごとに、設定されたアラーム条件に基づいて警報を発生するか否かを判定する。また、ＣＰＵ２１０は、判定結果に基づいてアラーム情報を生成し、生成されたアラーム情報を内部メモリ２４０に記憶する。さらに、ＣＰＵ２１０は、警報を発生すべきと判定した場合、警報音を出力するように本体部２００の図示しない音声出力部を制御する。
【０１８４】
ＣＰＵ２１０は、アラーム条件の設定時に図２２のアラーム表示チェックボックスｂ１４にチェックが入れられた場合、アラーム条件を満たす物理量データが生成されると、警報の発生を示す文字列または指標をアラーム情報として表示画面１０に表示する。一方、ＣＰＵ２１０は、アラーム表示チェックボックスｂ１４にチェックが入れられない場合、警報の発生時に、アラーム情報を表示画面１０に表示しない。
【０１８５】
また、ＣＰＵ２１０は、アラーム条件の設定時に図２２のアラーム印字チェックボックスｂ１５にチェックが入れられた場合、アラーム条件を満たす物理量データが生成されると、警報の発生を示す文字列または指標をアラーム情報としてチャート紙に印字する。一方、ＣＰＵ２１０は、アラーム印字チェックボックスｂ１５にチェックが入れられない場合、警報の発生時に、アラーム情報をチャート紙に印字しない。
【０１８６】
図２５はアラーム機能による警報発生時の表示画面１０の表示例を示す図であり、図２６はアラーム機能による警報発生時のチャート紙の印字例を示す図である。本例では、図２４のチャンネル選択画面ＡＳ１に示されるように、入力チャンネルＣＨ１に対応して「上限値」および「下限値」の２つのアラーム条件が設定される。また、２つのアラーム条件の設定時に、図２２のアラーム表示チェックボックスｂ１４およびアラーム印字チェックボックスｂ１５にそれぞれチェックが入れられる。
【０１８７】
生成される物理量データの物理量が下限値よりも高い値から下限値以下になると、図２５に示すように、物理量が下限値以下になったことを示すマークＭ１がアラーム情報として表示画面１０に表示される。また、図２６の矩形点線部ｐｔ６に示すように、物理量が下限値以下になったことを示す文字列「△１Ｌ２」がアラーム情報としてチャート紙に印字される。また、その物理量データが生成された時点「２０：１７」が印字される。
【０１８８】
矩形点線部ｐｔ６内の文字列においては、先頭の「△」は警報が発生したことを表す。２番目の「１」は警報が発生した物理量データの入力チャンネルＣＨ１を表す。３番目の「Ｌ」はその文字列が示すアラーム条件の種類が「下限値」であることを表す。４番目の「２」は警報を発生するか否かの判定が２番目のアラーム条件に基づいて行われたことを表す。
【０１８９】
一方、生成される物理量データの物理量が上限値よりも低い値から上限値以上になると、図２５に示すように、物理量が上限値以上になったことを示すマークＭ２がアラーム情報として表示画面１０に表示される。また、図２６の矩形点線部ｐｔ７に示すように、物理量が上限値以上になったことを示す文字列「△１Ｈ１」がアラーム情報としてチャート紙に印字される。また、その物理量データが生成された時点「２０：３６」が印字される。
【０１９０】
矩形点線部ｐｔ７内の文字列においても、先頭の「△」は警報が発生したことを表す。２番目の「１」は警報が発生した物理量データの入力チャンネルＣＨ１を表す。３番目の「Ｈ」はその文字列が示すアラーム条件の種類が「上限値」であることを表す。４番目の「１」は警報を発生するか否かの判定が１番目のアラーム条件に基づいて行われたことを表す。
【０１９１】
図２５の例では、物理量が下限値よりも高い値から下限値以下になった時点を示すようにランプ状のマークＭ１が表示画面１０に表示される。これに限らず、物理量が下限値以下である期間を示すように、縦軸に沿って線状のマークが表示画面１０に表示されてもよい。同様に、図２５の例では、物理量が上限値よりも低い値から上限値以上になった時点を示すようにランプ状のマークＭ２が表示画面１０に表示される。これに限らず、物理量が上限値以上である期間を示すように、縦軸に沿って線状のマークが表示画面１０に表示されてもよい。
【０１９２】
図２６の例では、物理量が下限値よりも高い値から下限値以下になった時点を示すように矩形点線部ｐｔ６内の文字列がチャート紙に印字される。これに限らず、物理量が下限値以下である期間を示すように縦軸に沿って線状のマークがチャート紙に印字されてもよい。同様に、図２６の例では、物理量が上限値よりも低い値から上限値以上になった時点を示すように矩形点線部ｐｔ７内の文字列がチャート紙に印字される。これに限らず、物理量が上限値以上である期間を示すように縦軸に沿って線状のマークがチャート紙に印字されてもよい。
【０１９３】
［１０］登録コメント機能
記録計１は、予め設定されたコメントを生成された物理量データに対応付けて内部メモリ２４０に記憶するコメント機能を有する。以下、コメント機能において使用者により予め設定されるコメントを登録コメントと呼ぶ。
【０１９４】
使用者は、図１のタッチパネル１２０を操作することにより所望の登録コメントを設定することができる。登録コメントの設定例を説明する。図２７は、登録コメントの設定時における表示画面１０の表示例を示す図である。登録コメントの設定時には、図２７に示すように、表示画面１０にコメント設定画面ＢＳ１が表示される。
【０１９５】
コメント設定画面ＢＳ１においては、中央部よりも左側の位置で上下方向に並ぶように複数（本例では６つ）のコメント入力欄ｂ２１が表示される。中央部よりも右側の位置には、上下方向に並ぶようにコメント表示チェックボックスｂ２２およびコメント印字チェックボックスｂ２３が表示される。下部には、設定保存ボタンｂ２４が表示される。
【０１９６】
使用者は、複数のコメント入力欄ｂ２１にそれぞれ所望のコメントを入力する。各コメント入力欄ｂ２１への文字列の入力時には、表示画面１０に後述する図３５に示すような文字入力画面ＣＳ５が表示される。使用者は文字入力画面ＣＳ５上のアルファベットボタンおよび変換ボタン等を操作することによりコメントを入力することができる。本例では、３つのコメント入力欄ｂ２１にそれぞれ、「バルブセイソウ」、「モータチョウセイ」および「ソクテイシャＡＢＣ」という登録コメントが入力される。
【０１９７】
複数のコメント入力欄ｂ２１のうち少なくとも１つのコメント入力欄ｂ２１にコメントが入力された状態で、使用者は、コメント表示チェックボックスｂ２２およびコメント印字チェックボックスｂ２３にそれぞれチェックを入れることができる。
【０１９８】
所望の登録コメントをコメント入力欄ｂ２１に入力した後、使用者は、図２７の設定保存ボタンｂ２４を操作する。それにより、図２７の各コメント入力欄ｂ２１に入力された登録コメントのテキストデータが内部メモリ２４０に記憶される。
【０１９９】
物理量収集動作中表示画面１０の上部には、コメントボタンｂ２５（後述する図２８および図２９参照）が表示される。使用者は、登録コメント機能の使用時に、まずコメントボタンｂ２５を操作する。この場合、表示画面１０には、内部メモリ２４０に記憶された複数の登録コメントから特定の登録コメントを選択するためのコメント選択画面が表示される。
【０２００】
図２８は、表示画面１０に表示されるコメント選択画面の例を示す図である。コメント選択画面ＢＳ２においては、中央部に複数のコメント選択ボタンｂ２６が表示されている。図２８の例では、６つのコメント選択ボタンｂ２６のうちの３つのコメント選択ボタンｂ２６に、図２７のコメント設定画面ＢＳ１で設定された３つのコメントがそれぞれ付されている。
【０２０１】
使用者は、コメント選択ボタンｂ２６にそれぞれ付されている登録コメントの内容を確認しつつ、複数のコメント選択ボタンｂ２６のうち１つを操作することにより、所望の登録コメントを選択することができる。このようにして、使用者は、所望の登録コメントを物理量データとともに内部メモリ２４０に記憶すべきことをＣＰＵ２１０に指令することができる。以下、物理量データとともに登録コメントを記憶すべき指令を登録コメント指令と呼ぶ。
【０２０２】
ＣＰＵ２１０は、登録コメント指令を受けると、使用者により選択された登録コメントを、現在生成されている物理量データに対応付けるとともに内部メモリ２４０に記憶する。
【０２０３】
ＣＰＵ２１０は、登録コメントの設定時に図２７のコメント表示チェックボックスｂ２２にチェックが入れられた場合、登録コメント指令を受けると、使用者により選択された登録コメントを表示画面１０に表示する。一方、ＣＰＵ２１０は、コメント表示チェックボックスｂ２２にチェックが入れられない場合に、登録コメント指令を受けても登録コメントを表示画面１０に表示しない。
【０２０４】
また、前側カバー２１０は、登録コメントの設定時に図２７のコメント印字チェックボックスｂ２３にチェックが入れられた場合、登録コメント指令を受けると、使用者により選択された登録コメントをチャート紙に印字する。一方、ＣＰＵ２１０は、コメント印字チェックボックスｂ２３にチェックが入れられない場合に、登録コメント指令を受けても登録コメントをチャート紙に印字しない。
【０２０５】
図２９は、コメント機能により物理量データとともに登録コメントが内部メモリ２４０に記憶される場合の表示画面１０の表示例を示す図であり、図３０はコメント機能により物理量データとともに登録コメントが内部メモリ２４０に記憶される場合のチャート紙の印字例を示す図である。本例では、図２７のコメント設定画面ＢＳ１に示されるように、登録コメントの設定時に、コメント表示チェックボックスｂ２２およびコメント印字チェックボックスｂ２３にそれぞれチェックが入れられる。
【０２０６】
使用者により「ソクテイシャＡＢＣ」という登録コメントが選択され、選択された登録コメントの記憶が指令されると、図２９の表示枠Ｆ１に示すように、選択された登録コメントが表示画面１０に表示される。また、図３０の矩形点線部ｐｔ８に示すように、選択された登録コメントの文字列「ソクテイシャＡＢＣ」がチャート紙に印字される。また、その登録コメント指令があった時点「１９：４０」が印字される。
【０２０７】
その後、使用者により「モータチョウセイ」という登録コメントが選択され、選択された登録コメントの記憶が指令されると、図２９の表示枠Ｆ２に示すように、選択された登録コメントが表示画面１０に表示される。また、図３０の矩形点線部ｐｔ９に示すように、選択された登録コメントの文字列「モータチョウセイ」がチャート紙に印字される。また、その登録コメント指令があった時点「２０：２６」が印字される。
【０２０８】
さらにその後、使用者により「バルブセイソウ」という登録コメントが選択され、選択された登録コメントの記憶が指令されると、図２９の表示枠Ｆ３に示すように、選択された登録コメントが表示画面１０に表示される。また、図３０の矩形点線部ｐｔ１０に示すように、選択された登録コメントの文字列「バルブセイソウ」がチャート紙に印字される。また、その登録コメント指令があった時点「２０：５９」が印字される。
【０２０９】
［１１］セキュリティ機能
記録計１は、予め定められた使用者名およびパスワードを有する使用者による操作を可能にし、予め定められた使用者名およびパスワードを有さない使用者による操作を不可能にするセキュリティ機能を有する。使用者は、図１のタッチパネル１２０を操作することにより使用者名およびパスワードを設定することができる。設定された使用者名およびパスワードが内部メモリ２４０に記憶される。
【０２１０】
図３１〜図３５は、使用者名およびパスワードの設定時における表示画面１０の表示例を示す図である。使用者は、図１のタッチパネル１２０を操作することにより、図３１に示すように、表示画面１０に種別選択画面ＣＳ１を表示させることができる。図３１の種別選択画面ＣＳ１においては、上部にログインボタンｂ３１およびセキュリティ設定ボタンｂ３２が表示される。下部に戻るボタンｂ３３が表示される。
【０２１１】
使用者名およびパスワードの設定を行う場合、使用者は、図３１のセキュリティ設定ボタンｂ３２を選択する。それにより、図３２に示すように、表示画面１０にログイン設定画面ＣＳ２が表示される。図３２のログイン設定画面ＣＳ２においては、上部に使用者登録ボタンｂ３４が表示される。下部には、戻るボタンｂ３３が表示される。
【０２１２】
使用者は、図３２の使用者登録ボタンｂ３４を操作することにより、図３３に示すように、表示画面１０に使用者一覧画面ＣＳ３を表示させることができる。図３３の使用者一覧画面ＣＳ３においては、中央部に複数（本例では１６個）の使用者ボタンｂ３５が表示される。下部には、戻るボタンｂ３３が表示される。使用者ボタンｂ３５の数は、セキュリティ機能により記録計１に設定可能な使用者の数に等しい。
【０２１３】
使用者は複数の使用者ボタンｂ３５のうち１つを操作することにより、図３４に示すように、表示画面１０に使用者パスワード入力画面ＣＳ４を表示させることができる。図３４の使用者パスワード入力画面ＣＳ４においては、中央部で上下方向に並ぶように使用者名入力欄ｂ３６およびパスワード入力欄ｂ３７が表示される。下部には、戻るボタンｂ３３および設定保存ボタンｂ３８が表示される。
【０２１４】
使用者名入力欄ｂ３６への文字列の入力時には、図３５に示すように、表示画面１０に文字入力画面ＣＳ５が表示される。パスワード入力欄ｂ３７への文字列の入力時にも、表示画面１０に文字入力画面ＣＳ５が表示される。使用者は、文字入力画面ＣＳ５上のアルファベットボタンおよび変換ボタン等を操作することにより使用者名およびパスワードを容易に入力することができる。
【０２１５】
使用者名およびパスワードが入力された後、図３４の使用者パスワード入力画面ＣＳ４が表示された状態で使用者は設定保存ボタンｂ３８を操作する。それにより、設定された使用者名およびパスワードが内部メモリ２４０に記憶される。
【０２１６】
上記のように記録計１に使用者名およびパスワードが設定されている場合、使用者は、記録計１の使用開始時に、表示画面１０に図３１の種別選択画面ＣＳ１を表示させ、ログインボタンｂ３１を操作する。それにより、使用者名およびパスワードの入力画面（図示せず）が表示画面１０に表示される。
【０２１７】
そこで、使用者は設定された使用者名およびパスワードを入力することにより、記録計１の全ての機能を使用することができる。例えば、使用者は、内部メモリ２４０から波形ファイルを呼び出したり、内部メモリ２４０に記憶されている波形ファイルに基づいて過去に測定された物理量の波形を表示画面１０に表示させたりすることが可能になる。また、使用者は、物理量データの収集開始、およびチャート紙への波形の記録開始をＣＰＵ２１０に指令することができる。
【０２１８】
ＣＰＵ２１０は、設定された使用者名およびパスワードを記憶するＵＳＢフラッシュメモリが接続された場合にのみ、使用者による記録計１の全ての機能の使用を許可してもよい。また、設定された使用者名およびパスワードを記憶するＵＳＢフラッシュメモリが接続され、そのＵＳＢフラッシュメモリに後述するバックアップコマンドデータが記憶されている場合にのみ、内部メモリ２４０内に記憶された全てのデータを接続されたＵＳＢフラッシュメモリに記憶してもよい。
【０２１９】
ＵＳＢフラッシュメモリに使用者名およびパスワードを記憶させる場合、使用者は、例えば図示しないパーソナルコンピュータにＵＳＢフラッシュメモリを接続し、そのパーソナルコンピュータにより記録計１のセキュリティ機能に対応するセキュリティアプリケーションプログラムを実行する。
【０２２０】
図３６は、セキュリティアプリケーションプログラムを実行することによりパーソナルコンピュータの表示部に表示されるウィンドウの例を示す図である。図３６のウィンドウＷＳにおいては、中央部のやや上方の位置に「本体ログイン情報」という文字列が付されたチェックボックスｂ４１が表示され、中央部よりも右側の位置に作成／更新ボタンｂ４２が表示される。
【０２２１】
使用者は、チェックボックスｂ４１にチェックを入れた後、作成／更新ボタンｂ４２を操作する。それにより、パーソナルコンピュータの表示部には、ＵＳＢフラッシュメモリに記憶させるべき使用者名およびパスワードを入力するための入力ウィンドウ（図示せず）が表示される。その状態で、使用者は、記録計１に設定されている使用者名およびパスワードを入力することにより、ＵＳＢフラッシュメモリに使用者名およびパスワードを記憶させることができる。
【０２２２】
図３６のウィンドウＷＳにおいては、さらに中央部のやや下方の位置に「本体バックアップ作成情報」という文字列が付されたチェックボックスｂ４３が表示される。使用者は、ＵＳＢフラッシュメモリに使用者名およびパスワードを記憶させた後、チェックボックスｂ４３にチェックを入れ、作成／更新ボタンｂ４２を操作する。
【０２２３】
この場合、ＵＳＢフラッシュメモリにバックアップコマンドデータが記憶される。バックアップコマンドデータは、そのＵＳＢフラッシュメモリが記録計１に接続されることにより、内部メモリ２４０内に記憶された全てのデータをＵＳＢフラッシュメモリにバックアップすることをＣＰＵ２１０に指令するためのデータである。
【０２２４】
使用者名およびパスワードが記憶されたＵＳＢフラッシュメモリが記録計１に接続されると、記録計１のＣＰＵ２１０は、接続されたＵＳＢフラッシュメモリに記憶された使用者名およびパスワードがセキュリティ機能で設定されている使用者名およびパスワードに一致するか否かを判定する。
【０２２５】
ＣＰＵ２１０は、ＵＳＢフラッシュメモリに記憶された使用者名およびパスワードが予め設定されている使用者名およびパスワードに一致する場合、使用者による記録計１の全ての機能の使用を許可する。
【０２２６】
さらに、ＣＰＵ２１０は、そのＵＳＢフラッシュメモリにバックアップコマンドデータが記憶されている場合に、内部メモリ２４０内に記憶された全てのデータをＵＳＢフラッシュメモリに記憶する。この場合、故障等により表示画面１０に画像が表示されない場合でも、セキュリティ機能により部外者によるデータの取得を防止しつつ、内部メモリ２４０内の全てのデータを容易にバックアップすることができる。
【０２２７】
［１２］効果
本実施の形態に係る記録計１においては、物理量の測定中に、外部からの入力信号に基づいて物理量データが生成される。生成された物理量データが内部メモリ２４０に記憶される。また、生成された物理量データに関連する付随情報として、印字履歴情報、開閉履歴情報、アラーム情報および登録コメント等が物理量データとともに記憶部に記憶される。
【０２２８】
生成された物理量データに基づいてチャート紙に所定期間前、例えばチャート紙記録動作の開始から現在までの物理量の変化を示す波形が印字される。また、内部メモリ２４０に記憶された物理量データに関連する付随情報が物理量の変化を示す波形とともにチャート紙に印字される。チャート紙に印字された波形および付随情報を修正することは困難であるため、記録された物理量および付随情報の信頼性が容易に確保される。
【０２２９】
物理量の測定中に、内部メモリ２４０に記憶された物理量データに基づいて所定期間前、例えば物理量収集動作の開始から現在までの物理量の変化を示す波形が表示画面１０に表示される。表示画面１０にはチャート紙に印字される波形に対応する波形が表示されるため、使用者は測定される物理量の変化を表示画面１０により確認することができる。
【０２３０】
内部メモリ２４０に記憶された付随情報が表示画面１０に表示される。それにより、使用者は、付随情報を物理量の波形とともに表示画面１０により確認することができる。また、物理量データおよび付随情報が内部メモリ２４０に記憶されるので、使用者は、内部メモリ２４０に記憶された複数の物理量データおよび付随情報に基づいて物理量の変化を示す波形のうち特定の部分を容易かつ詳細に探索することができる。その結果、物理量の詳細な解析を容易に行うことが可能になる。
【０２３１】
［１３］他の実施の形態
（１）上記実施の形態においては、波形ファイル、サンプリング条件、波形の印字条件、印字履歴情報および開閉履歴情報等の種々の情報が内部メモリ２４０に記憶される。これに限らず、内部メモリ２４０には、記録計１の電源がオフ状態からオン状態に切り替わった時点および記録計１の電源がオン状態からオフ状態に切り替わった時点を示す電源履歴情報が記憶されてもよい。
【０２３２】
また、電源履歴情報が表示画面１０に表示されてもよい。この場合、使用者は、表示画面１０に表示された電源履歴情報を確認することにより、記録計１の過去の動作状態を容易に認識することができる。
【０２３３】
さらに、電源履歴情報がチャート紙に印字されてもよい。この場合、使用者は、チャート紙に印字された電源履歴情報を確認することにより、記録計１の過去の動作状態を容易に認識することができる。
【０２３４】
（２）上記実施の形態においては、扉部１００が開かれることにより、内部メモリ２４０に記憶された開閉履歴情報に基づいて扉部１００が開かれたことを示す文字列「トビラオープン」がチャート紙に印字される。これに限らず、扉部１００が開かれた場合には、文字列「トビラオープン」に代えて扉部１００が開かれたことを示す指標がチャート紙に印字されてもよい。
【０２３５】
（３）上記実施の形態においては、扉部１００が開かれた時点のみが開閉履歴情報として内部メモリ２４０に記憶される。これに限らず、記録計１においては、扉部１００が閉じられた時点、すなわち扉部１００が開状態から閉状態に切り替わる時点が開閉履歴情報として内部メモリ２４０に記憶されてもよい。この場合、扉部１００が閉じられることにより、内部メモリ２４０に記憶された開閉履歴情報に基づいて扉部１００が閉じられたことを示す文字列または指標がチャート紙に印字されてもよい。さらに、扉部１００が閉じられた時点がチャート紙に印字されてもよい。
【０２３６】
（４）上記実施の形態においては、チャート紙記録動作の開始時点はチャート紙に印字されるが、チャート紙記録動作の終了時点はチャート紙に印字されない。これに限らず、チャート紙記録動作の開始時点および終了時点はともにチャート紙に印字されてもよい。
【０２３７】
（５）上記実施の形態においては、物理量の変化を示す波形が表示されない状態で、インクカートリッジのインク残量が表示画面１０に表示される。これに限らず、物理量の変化を示す波形とともにインクカートリッジのインク残量が表示画面１０に表示されてもよい。また、累積印字回数がインクカートリッジ目標値以上である場合に、物理量の変化を示す波形とともに「インク：交換時期」という文字列が表示画面１０に表示されてもよい。この場合、使用者は、物理量の変化を示す波形を見ながら、インクカートリッジの交換時期を容易に認識することができる。
【０２３８】
（６）上記実施の形態においては、物理量の変化を示す波形が表示されない状態で、チャート紙残量が表示画面１０に表示される。これに限らず、物理量の変化を示す波形とともにチャート紙残量が表示画面１０に表示されてもよい。また、チャート紙残量が所定長さ（例えば５００ｍｍ）以下である場合に、物理量の変化を示す波形とともに「紙：交換時期」という文字列が表示画面１０に表示されてもよい。この場合、使用者は、物理量の変化を示す波形を見ながら、チャート紙の交換時期を容易に認識することができる。
【０２３９】
（７）上記実施の形態においては、印字部２５０として打点方式のプリンタが用いられる。これに限らず、印字部２５０として、打点方式のプリンタに代えてペン式のプリンタが用いられてもよい。
【０２４０】
（８）チャート紙送り部２６０において、プラテンローラＰＲは一方向に加えて逆方向に回転してもよい。この場合、例えばチャート紙送り部２６０により保持されるチャート紙が印字部２５０に対して逆方向に送られる。チャート紙送り部２６０は、チャート紙を一定量逆方向に戻すごとにチャート紙戻り信号をマイクロコンピュータＰＭを通して制御装置２００ＡのＣＰＵ２１０に与えてもよい。ＣＰＵ２１０にチャート紙送り信号およびチャート紙戻り信号が与えられる場合、ＣＰＵ２１０は、チャート紙送り信号およびチャート紙戻り信号に基づいて累積送り長さを算出し、算出された累積送り長さに基づいてチャート紙残量を算出してもよい。
【０２４１】
［１４］請求項の各構成要素と実施の形態の各部との対応関係
以下、請求項の各構成要素と実施の形態の各構成要素との対応の例について説明するが、本発明は下記の例に限定されない。
【０２４２】
上記実施の形態においては、チャート紙が記録紙の例であり、記録計１が記録計の例であり、収集ユニット４００のマイクロコンピュータ４１０がデータ生成部の例であり、印字装置２００Ｂが印字装置の例であり、内部メモリ２４０が記憶部の例である。
【０２４３】
また、表示部１１０およびタッチパネル１２０を含む構成が表示装置の例であり、ＣＰＵ２１０が制御部の例であり、印字切替ボタン１４０ｂおよび記録スイッチ１５２が印字動作指令部の例であり、本体ケーシングＣＡが筐体の例であり、本体ケーシングＣＡの前面開口２００ｏが筐体の開口の例である。
【０２４４】
また、扉部１００が扉の例であり、チャート紙収容部２７０が記録紙収容部の例であり、チャート紙送り部２６０が紙送り機構の例であり、印字部２５０が印字部の例であり、ＵＳＢインターフェース１８０，２９１が接続部の例であり、ＵＳＢフラッシュメモリが外部記憶装置の例である。
【０２４５】
また、印字履歴情報、開閉履歴情報、アラーム情報および登録コメントが付随情報の例であり、印字履歴情報が印字時点情報の例であり、開閉履歴情報が開閉情報の例であり、アラーム情報がアラーム情報の例であり、登録コメント機能により物理量データに対応付けられるとともに内部メモリ２４０に記憶された登録コメントがコメント情報の例である。
【０２４６】
請求項の各構成要素として、請求項に記載されている構成または機能を有する他の種々の構成要素を用いることもできる。
【産業上の利用可能性】
【０２４７】
本発明は、物理量を記録する記録計等の機器に有効に利用することができる。
【符号の説明】
【０２４８】
１  記録計
１０  表示画面
１１，１２，１７，１８，１３ａ，１４ａ，ｐｔ１，ｐｔ２，ｐｔ３，ｐｔ４，ｐｔ５，ｐｔ６，ｐｔ７，ｐｔ８，ｐｔ９，ｐｔ１０  矩形点線部
１３ｂ  インクリセットボタン
１４ｂ  紙リセットボタン
１５  印字開始ボタン
１６  印字停止ボタン
２０  下部カバー
２１  タッチペン
３０  扉支持部
３１，３３，５１  貫通孔
３２  支持軸
３４  固定軸
５０  支持部
９１  送り速度入力部
９２  複数の数字ボタン
９３  設定保存ボタン
１００  扉部
１１０  表示部
１２０  タッチパネル
１３０  開閉検出部
１４０  チャート紙調整スイッチ
１４０ａ  強制送りボタン
１４０ｂ  印字切替ボタン
１５０  収集記録スイッチ
１５１  収集スイッチ
１５２  記録スイッチ
１６０  記録状態表示ランプ
１７０  電源スイッチ
１８０，２９１  ＵＳＢインターフェース
１９０  フレキシブル配線回路基板
２００  本体部
２００Ａ  制御装置
２００Ｂ  印字装置
２００Ｃ  リジッド配線回路基板
２００ｆ  フランジ
２００ｏ  前面開口
２１０  ＣＰＵ
２２０  ＲＯＭ
２３０  ＲＡＭ
２４０  内部メモリ
２５０  印字部
２６０  チャート紙送り部
２６１  チャート紙送りカバー
２６１ｋ  切り欠き
２６２  モータ
２６３  ギア
２７０  チャート紙収容部
２７１  前面カバー
２８０  ＦＰＧＡ
２９２  ＲＳ４８５インターフェース
２９３  イーサネットインターフェース
２９４  電源端子
３００  入力／出力ユニット
３１０，４２０  入力回路
３２０  出力回路
３３０  入出力端子部
４００  収集ユニット
４１０，ＰＭ  マイクロコンピュータ
４３０  Ａ／Ｄ変換器
４４０  入力端子部
ＡＳ１  チャンネル選択画面
ＡＳ２  アラーム設定画面
ＡＳ３  アラーム詳細設定画面
ｂ１１  チャンネルボタン
ｂ１２  設定保存ボタン
ｂ１３  アラーム種類ボタン
ｂ１４  アラーム表示チェックボックス
ｂ１５  アラーム印字チェックボックス
ｂ１６  次へボタン
ｂ１７  数値入力欄
ｂ２１  コメント入力欄
ｂ２２  コメント表示チェックボックス
ｂ２３  コメント印字チェックボックス
ｂ２４  設定保存ボタン
ｂ２５  コメントボタン
ｂ２６  コメント選択ボタン
ｂ３１  ログインボタン
ｂ３２  セキュリティ設定ボタン
ｂ３３  戻るボタン
ｂ３４  使用者登録ボタン
ｂ３５  使用者ボタン
ｂ３６  使用者名入力欄
ｂ３７  パスワード入力欄
ｂ３８  設定保存ボタン
ｂ４１，ｂ４３  チェックボックス
ｂ４２  作成／更新ボタン
ＢＯ  後部開口
ＢＳ１  コメント設定画面
ＢＳ２  コメント選択画面
Ｃ１，Ｃ２  チャート紙
ＣＡ  本体ケーシング
ＣＢ  制御盤
ＣＳ１  種別選択画面
ＣＳ２  ログイン設定画面
ＣＳ３  使用者一覧画面
ＣＳ４  使用者パスワード入力画面
ＣＳ５  文字入力画面
Ｆ１，Ｆ２，Ｆ３  表示枠
ＧＲ  グリップ
Ｍ１，Ｍ２  マーク
ＰＲ  プラテンローラ
Ｓ１  上面部
Ｓ２  底面部
Ｓ３，Ｓ４  側面部
Ｓ５  背面部
ＳＬａ，ＳＬｂ，ＴＡａ，ＴＡｂ  接続端子
ＷＳ  ウィンドウ
【図１】
2014163699.tif 000003
【図２】
2014163699.tif 000004
【図３】
2014163699.tif 000005
【図４】
2014163699.tif 000006
【図５】
2014163699.tif 000007
【図６】
2014163699.tif 000008
【図７】
2014163699.tif 000009
【図８】
2014163699.tif 000010
【図９】
2014163699.tif 000011
【図１０】
2014163699.tif 000012
【図１１】
2014163699.tif 000013
【図１２】
2014163699.tif 000014
【図１３】
2014163699.tif 000015
【図１４】
2014163699.tif 000016
【図１５】
2014163699.tif 000017
【図１６】
2014163699.tif 000018
【図１７】
2014163699.tif 000019
【図１８】
2014163699.tif 000020
【図１９】
2014163699.tif 000021
【図２０】
2014163699.tif 000022
【図２１】
2014163699.tif 000023
【図２２】
2014163699.tif 000024
【図２３】
2014163699.tif 000025
【図２４】
2014163699.tif 000026
【図２５】
2014163699.tif 000027
【図２６】
2014163699.tif 000028
【図２７】
2014163699.tif 000029
【図２８】
2014163699.tif 000030
【図２９】
2014163699.tif 000031
【図３０】
2014163699.tif 000032
【図３１】
2014163699.tif 000033
【図３２】
2014163699.tif 000034
【図３３】
2014163699.tif 000035
【図３４】
2014163699.tif 000036
【図３５】
2014163699.tif 000037
【図３６】
2014163699.tif 000038